(57)【要約】【課題】印刷メディアの色特性を容易に認識できるようにした上で、印刷装置が印刷メディアの色特性に対応した印刷を行えるようにする。【解決手段】ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間を印刷メディア依存で区切ったメディアピース群の任意のピースを特定可能とした上で、対象となる印刷メディアのメディア特性情報に基づいて、当該印刷メディアに印刷を行う情報処理システム１。【選択図】図１
2018167530.tif 000002
【特許請求の範囲】
【請求項１】
ＨＳＶ色空間を定義する色相、彩度、及び、明度の３つのパラメーターについて、各パラメーターがとり得る範囲を複数の区間に分割し、各区間に区間名称を付与し、
３つのパラメーターの区間名称の組み合わせをもってメディア特性情報とし、当該メディア特性情報によりＨＳＶ色空間を印刷メディア依存で区切ったメディアピース群の任意のピースを特定可能とした上で、
対象となる印刷メディアのメディア特性情報に基づいて、当該印刷メディアに印刷を行う情報処理システム。
【請求項２】
色相のパラメーターの区間名称は、該当する区間の色相の傾向を形容する表現を含み、
彩度のパラメーターの区間名称は、彩度のパラメーターがとり得る範囲において、該当する区間の彩度の度合いを相対的に形容する表現を含み、
明度のパラメーターの区間名称は、明度のパラメーターがとり得る範囲において、該当する区間の明度の度合いを相対的に形容する表現を含む請求項１に記載の情報処理システム。
【請求項３】
形容する表現とは、言葉または数字である請求項２に記載の情報処理システム。
【請求項４】
印刷メディアが、メディア特性情報を有する請求項１から３のいずれか１項に記載の情報処理システム。
【請求項５】
公衆回線に接続されている情報処理装置が、メディア特性情報を有する請求項１から４のいずれか１項に記載の情報処理システム。
【請求項６】
ＨＳＶ色空間を印刷装置依存で区切ったプリンターピース群のそれぞれと対応付けて用意されたカラープロファイルを、印刷装置の機種ごとに有し、
所望の印刷装置で所望の印刷メディアに印刷する場合、当該印刷装置の機種に依存してＨＳＶ色空間を区切ったプリンターピース群から、当該印刷メディアのメディア特性情報に基づいて、所定の方法で該当するプリンターピースを特定し、特定したプリンターピースに対応付けられたカラープロファイルを選択して提供する
請求項１から５のいずれか１項に記載の情報処理システム。
【請求項７】
前記所定の方法は、ＨＳＶ色空間において、メディア特性情報で特定されるメディアピースの位置を特定し、そのメディアピースの位置に対して、所定の点を対称点として点対称の位置に存在するプリンターピースを特定するものである
請求項６に記載の情報処理システム。
【請求項８】
前記所定の点は、ＨＳＶ色空間における原点である請求項７に記載の情報処理システム。
【請求項９】
前記所定の方法は、ＨＳＶ色空間において、メディア特性情報で特定されるメディアピースの位置を特定し、ＨＳＶ色空間における所定の点から特定したメディアピースに向かうベクトルに対して、そのベクトルを打ち消すベクトルが示す位置に存在するプリンターピースを特定するものである
請求項６に記載の情報処理システム。
【請求項１０】
前記所定の点は、ＨＳＶ色空間における原点である請求項９に記載の情報処理システム。
【請求項１１】
ＨＳＶ色空間の任意の位置について、印刷メディア依存で区切るメディアピース群の個々の大きさは、印刷装置依存で区切るプリンターピース群の個々の大きさと比べて、同等か細かい
請求項６から１０のいずれか１項に記載の情報処理システム。
【請求項１２】
ＨＳＶ色空間を印刷メディア依存、または印刷装置依存で区切る場合、彩度のパラメーターについて、彩度の度合いが低い区間の長さを、彩度の度合いが高い区間の長さと比較して、小さくした請求項６から１１のいずれか１項に記載の情報処理装置。
【請求項１３】
ＨＳＶ色空間を印刷メディア依存、または印刷装置依存で区切る場合、明度のパラメーターについて、明度の度合いが低い区間の長さを、明度の度合いが高い区間の長さと比較して、小さくした請求項６から１２のいずれか１項に記載の情報処理装置。
【請求項１４】
ＨＳＶ色空間を印刷メディア依存、または印刷装置依存で区切る場合、色相のパラメーターについて、第１の色相に対応する区間の長さを、第１の色相とは異なる第２の色相に対応する区間の長さと比較して、小さくした請求項６から１３のいずれか１項に記載の情報処理装置。
【請求項１５】
カラープロファイルは、公衆回線上のサーバーが有している
請求項６から１４のいずれか１項に記載の情報処理システム。
【請求項１６】
印刷装置の機種ごとに用意された、基準となるカラープロファイルを有し、
所望の印刷装置で所望の印刷メディアに印刷する場合、当該印刷装置の機種用の当該基準となるカラープロファイルを、当該印刷メディアのメディア特性情報に基づいて、所定の方法で補正し、補正後のカラープロファイルを提供する
請求項１から５のいずれか１項に記載の情報処理システム。
【請求項１７】
前記所定の方法は、ＨＳＶ色空間において、メディア特性情報で特定されるメディアピースの位置を特定し、ＨＳＶ色空間における所定の点から特定したメディアピースに向かうベクトルに対して、それを打ち消す方向のベクトルになるように、当該所定の点に相当する位置の基準となるカラープロファイルを補正する請求項１６に記載の情報処理システム。
【請求項１８】
前記所定の点は、ＨＳＶ色空間における原点である請求項１７に記載の情報処理システム。
【請求項１９】
ＨＳＶ色空間を定義する色相、彩度、及び、明度の３つのパラメーターについて、各パラメーターがとり得る範囲を複数の区間に分割し、各区間に区間名称を付与し、
３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアのメディア特性情報を有する印刷メディア。
【請求項２０】
メディア特性情報は、構成要素のうち、印刷により消費されない記憶媒体に記録される請求項１９に記載の印刷メディア。
【請求項２１】
ＨＳＶ色空間を定義する色相、彩度、及び、明度の３つのパラメーターについて、各パラメーターがとり得る範囲を複数の区間に分割し、各区間に区間名称を付与し、
３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアごとに、メディア特性情報を記憶する情報処理装置。
【請求項２２】
ＨＳＶ色空間を定義する色相、彩度、及び、明度の３つのパラメーターについて、各パラメーターがとり得る範囲を複数の区間に分割し、各区間に区間名称を付与し、
３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアのメディア特性情報に基づいて、カラープロファイルを選択し、又は、基準となるとなるカラープロファイルを補正し、選択したカラープロファイル、又は、補正したカラープロファイルを提供する情報処理装置。
【発明の詳細な説明】
【技術分野】
【０００１】
本発明は、情報処理システム、印刷メディア、及び、情報処理装置に関する。
【背景技術】
【０００２】
従来、カラープロファイル（ＩＣＣプロファイル）が用いられて生成された印刷データに基づいて印刷装置が印刷メディアに印刷する印刷システムが知られている（例えば、特許文献１参照）。
【先行技術文献】
【特許文献】
【０００３】
【特許文献１】特開２０１０−１０２３９８号公報
【発明の概要】
【発明が解決しようとする課題】
【０００４】
ここで、印刷装置が高い品質で印刷メディアに印刷するためには、印刷装置が印刷メディアの色特性に対応した印刷を実行する必要がある。この点に関し、印刷メディアの色特性を容易に把握できるようにした上で、印刷装置が印刷メディアの色特性に対応した印刷を行えるようにすることが求められていた。
本発明は、上述した事情に鑑みてなされたものであり、印刷メディアの色特性を容易に把握できるようにした上で、印刷装置が印刷メディアの色特性に対応した印刷を行えるようにすることを目的とする。
【課題を解決するための手段】
【０００５】
上記目的を達成するために、本発明の情報処理システムは、ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間を印刷メディア依存で区切ったメディアピース群の任意のピースを特定可能とした上で、対象となる印刷メディアのメディア特性情報に基づいて、当該印刷メディアに印刷を行う。
この構成によれば、メディア特性情報が３つのパラメーターの区間名称の組み合わせを含む情報であるため、メディア特性情報に基づいて、印刷メディアの色特性を容易に認識できる。また、メディア特性情報は、ＨＳＶ色空間を印刷メディア依存で区切ったメディアピースを特定する情報であり、メディア特性情報により特定されるメディアピースは、印刷メディアの色特性に対応するピースである。このため、印刷装置の印刷に際し、メディア特性情報を用いることにより、印刷装置が印刷メディアの色特性に対応した印刷を行えるようにすることができる。
【０００６】
また、本発明は、色相のパラメーターの区間名称は、該当する区間の色相の傾向を形容する表現を含み、彩度のパラメーターの区間名称は、彩度のパラメーターがとり得る範囲において、該当する区間の彩度の度合いを相対的に形容する表現を含み、明度のパラメーターの区間名称は、明度のパラメーターがとり得る範囲において、該当する区間の明度の度合いを相対的に形容する表現を含む。
この構成によれば、メディア特性情報により、印刷メディアの色特性を直感的、感覚的に認識できる。
【０００７】
また、本発明は、形容する表現とは、言葉または数字である。
この構成によれば、メディア特性情報により、印刷メディアの色特性を直感的、感覚的に認識できる。
【０００８】
また、本発明は、印刷メディアが、メディア特性情報を有する。
この構成によれば、印刷装置は、実際に装着された印刷メディアから、その印刷メディアのメディア特性情報を的確に取得することができる。
【０００９】
また、本発明は、公衆回線に接続されている情報処理装置が、メディア特性情報を有する。
この構成によれば、公衆回線を介して情報処理装置にアクセスすることにより、情報処理装置が有するメディア特性情報を利用可能となる。
【００１０】
また、本発明は、ＨＳＶ色空間を印刷装置依存で区切ったプリンターピース群のそれぞれと対応付けて用意されたカラープロファイルを、印刷装置の機種ごとに有し、所望の印刷装置で所望の印刷メディアに印刷する場合、当該印刷装置の機種に依存してＨＳＶ色空間を区切ったプリンターピース群から、当該印刷メディアのメディア特性情報に基づいて、所定の方法で該当するプリンターピースを特定し、特定したプリンターピースに対応付けられたカラープロファイルを選択して提供する。
この構成によれば、印刷メディアの色特性に対応する適切なカラープロファイルを提供できる。
【００１１】
また、本発明は、前記所定の方法は、ＨＳＶ色空間において、メディア特性情報で特定されるメディアピースの位置を特定し、そのメディアピースの位置に対して、所定の点を対称点として点対称の位置に存在するプリンターピースを特定するものである。
この構成によれば、印刷メディアの色特性に対応する適切なカラープロファイルを提供できる。
【００１２】
また、本発明は、前記所定の点は、ＨＳＶ色空間における原点である。
この構成によれば、印刷メディアの色特性に対応する適切なカラープロファイルを提供できる。
【００１３】
また、本発明は、前記所定の方法は、ＨＳＶ色空間において、メディア特性情報で特定されるメディアピースの位置を特定し、ＨＳＶ色空間における所定の点から特定したメディアピースに向かうベクトルに対して、そのベクトルを打ち消すベクトルが示す位置に存在するプリンターピースを特定するものである。
【００１４】
また、本発明は、前記所定の点は、ＨＳＶ色空間における原点である。
この構成によれば、印刷メディアの色特性に対応する適切なカラープロファイルを提供できる。
【００１５】
また、本発明は、ＨＳＶ色空間の任意の位置について、印刷メディア依存で区切るメディアピース群の個々の大きさは、印刷装置依存で区切るプリンターピース群の個々の大きさと比べて、同等か細かい。
この構成によれば、印刷装置の機種が、いずれの機種であっても、メディア特性情報が特定するメディアピースに対応して、プリンターピースが存在する状態とすることができる。
【００１６】
また、本発明は、ＨＳＶ色空間を印刷メディア依存、または印刷装置依存で区切る場合、彩度のパラメーターについて、彩度の度合いが低い区間の長さを、彩度の度合いが高い区間の長さと比較して、小さくした。
この構成によれば、彩度の特徴を踏まえて、彩度のパラメーターの区間の範囲の大きさを適切な大きさとすることができる。
【００１７】
また、本発明は、ＨＳＶ色空間を印刷メディア依存、または印刷装置依存で区切る場合、明度のパラメーターについて、明度の度合いが低い区間の長さを、明度の度合いが高い区間の長さと比較して、小さくした。
この構成によれば、明度の特徴を踏まえて、明度のパラメーターの区間の範囲の大きさを適切な大きさとすることができる。
【００１８】
また、本発明は、ＨＳＶ色空間を印刷メディア依存、または印刷装置依存で区切る場合、色相のパラメーターについて、第１の色相に対応する区間の長さを、第１の色相とは異なる第２の色相に対応する区間の長さと比較して、小さくした。
この構成によれば、色相の特徴を踏まえて、色相のパラメーターの区間の範囲の大きさを適切な大きさとすることができる。
【００１９】
また、本発明は、カラープロファイルは、公衆回線上のサーバーが有している。
この構成によれば、公衆回線を介してサーバーにアクセスして、カラープロファイルが利用可能となる。
【００２０】
また、本発明は、印刷装置の機種ごとに用意された、基準となるカラープロファイルを有し、所望の印刷装置で所望の印刷メディアに印刷する場合、当該印刷装置の機種用の当該基準となるカラープロファイルを、当該印刷メディアのメディア特性情報に基づいて、所定の方法で補正し、補正後のカラープロファイルを提供する。
この構成によれば、印刷メディアの色特性に対応する適切なカラープロファイルを提供できる。
【００２１】
また、本発明は、前記所定の方法は、ＨＳＶ色空間において、メディア特性情報で特定されるメディアピースの位置を特定し、ＨＳＶ色空間における所定の点から特定したメディアピースに向かうベクトルに対して、それを打ち消す方向のベクトルになるように、当該所定の点に相当する位置の基準となるカラープロファイルを補正する。
この構成によれば、印刷メディアの色特性に対応する適切なカラープロファイルを提供できる。
【００２２】
また、本発明は、前記所定の点は、ＨＳＶ色空間における原点である。
この構成によれば、印刷メディアの色特性に対応する適切なカラープロファイルを提供できる。
【００２３】
また、上記目的を達成するために、本発明の印刷メディアは、ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアのメディア特性情報を有する。
この構成によれば、メディア特性情報が３つのパラメーターの区間名称の組み合わせを含む情報であるため、メディア特性情報に基づいて、印刷メディアの色特性を容易に認識できる。また、メディア特性情報は、ＨＳＶ色空間をメディア依存で区切ったメディアピースを特定する情報であり、メディア特性情報により特定されるメディアピースは、印刷メディアの色特性に対応するピースである。このため、印刷メディアが有するメディア特性情報を用いることにより、印刷装置が印刷メディアの色特性に対応した印刷を行えるようにすることができる。
【００２４】
また、本発明は、メディア特性情報は、構成要素のうち、印刷により消費されない記憶媒体に記録される。
この構成によれば、印刷装置等に記憶媒体に記録されたメディア特性情報を読み取らせて、利用させることができる。
【００２５】
また、上記目的を達成するために、本発明の情報処理装置は、ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアごとに、メディア特性情報を記憶する。
この構成によれば、メディア特性情報が３つのパラメーターの区間名称の組み合わせを含む情報であるため、メディア特性情報に基づいて、印刷メディアの色特性を容易に認識できる。また、メディア特性情報は、ＨＳＶ色空間を印刷メディア依存で区切ったメディアピースを特定する情報であり、メディア特性情報により特定されるメディアピースは、印刷メディアの色特性に対応するピースである。このため、情報処理装置が記憶するメディア特性情報を用いることにより、印刷装置が印刷メディアの色特性に対応した印刷を行えるようにすることができる。
【００２６】
また、上記目的を達成するために、本発明の情報処理装置は、ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間をメディア依存で区切ったメディアピース群の任意のピースを特定可能とした上で、対象となる印刷メディアのメディア特性情報に基づいて、カラープロファイルを選択し、又は、基準となるとなるカラープロファイルを補正し、選択したカラープロファイル、又は、補正したカラープロファイルを提供する。
この構成によれば、メディア特性情報が３つのパラメーターの区間名称の組み合わせを含む情報であるため、メディア特性情報に基づいて、印刷メディアの色特性を容易に認識できる。また、メディア特性情報は、ＨＳＶ色空間を印刷メディア依存で区切ったメディアピースを特定する情報であり、メディア特性情報により特定されるメディアピースは、印刷メディアの色特性に対応するピースである。このため、情報処理装置が提供するメディア特性情報を用いることにより、印刷装置が印刷メディアの色特性に対応した印刷を行えるようにすることができる。
【図面の簡単な説明】
【００２７】
【図１】第１実施形態に係る情報処理システムの構成を示す図。
【図２】メディアサーバーの機能的構成を示すブロック図。
【図３】印刷システムが備える装置の機能的構成を示すブロック図。
【図４】端末、メディアサーバーの動作を示すフローチャート。
【図５】メディア特性情報登録画面の一例を示す図。
【図６Ａ】色相パラメーターテーブルを示す図。
【図６Ｂ】彩度パラメーターテーブルを示す図。
【図６Ｃ】明度パラメーターテーブルを示す図。
【図７】ＨＳＶ色空間における色相の説明に用いる図。
【図８】メディア特性情報登録画面の一例を示す図。
【図９】メディア特性情報を示す図。
【図１０】ＨＳＶ色空間を示す図。
【図１１】メディアリストを示す図。
【図１２】メディアリストを示す図。
【図１３】登録完了通知画面を示す図。
【図１４】画像処理装置、印刷装置、制御装置の動作を示すフローチャート。
【図１５】制御装置の動作を示すフローチャート。
【図１６】カラープロファイル集合データを示す図。
【図１７】ＨＳＶ色空間を示す図。
【図１８】プリンターピース群、及び、メディアピース群を示す図。
【図１９】メディア特性情報と、プリンターピースとの関係を示す図。
【図２０】ＨＳＶ色空間を示す図。
【図２１】第３実施形態に係るメディア特性情報を示す図。
【図２２Ａ】色相パラメーターテーブルを示す図。
【図２２Ｂ】彩度パラメーターテーブルを示す図。
【図２２Ｃ】明度パラメーターテーブルを示す図。
【図２３】メディアリストを示す図。
【図２４】第４実施形態に係る画像処理装置、印刷装置、メディアサーバーの動作を示すフローチャート。
【発明を実施するための形態】
【００２８】
以下、図面を参照して本発明の実施形態について説明する。
【００２９】
＜第１実施形態＞
図１は、本実施形態に係る情報処理システム１の構成を示す図である。
図１に示すように、情報処理システム１は、インターネット、電話網、その他の通信網を含むグローバルネットワークＧＮ（公衆回線）に接続された複数の印刷システム２を備える。印刷システム２は、印刷装置３（情報処理装置）による印刷が行われる施設に設けられたシステムである。印刷システム２が設けられる施設は、例えば、顧客からの依頼に応じて印刷装置３により印刷を行って印刷物を生成し、生成した印刷物を提供するサービスを行う会社の工場である。
以下の説明では、印刷装置３を使用する者を総称して、「ユーザー」と表現する。
【００３０】
印刷システム２は、ローカルエリアネットワークＬＮａを備える。ローカルエリアネットワークＬＮａは、印刷システム２が設けられた施設に構築されたコンピューターネットワークである。
ローカルエリアネットワークＬＮａには、通信装置４ａが接続される。通信装置４ａは、ローカルエリアネットワークＬＮａと、グローバルネットワークＧＮとを接続するインターフェース装置である。通信装置４ａは、モデム（又は、ＯＮＵ（Optical Network Unit））に係る機能、ルーター機能、ＮＡＴ（Network Address Translation）機能、及び、ＤＨＣＰ（Dynamic Host Configuration Protocol）サーバー機能等を有する。通信装置４ａは、ローカルエリアネットワークＬＮａに接続された機器と、グローバルネットワークＧＮに接続された機器との間で行われる通信に際し、機器間で送受信されるデータを転送する。なお、図１では、通信装置４ａを１つのブロックで表現するが、通信装置４ａは、機能に応じた複数の装置を有する構成でもよい。
【００３１】
ローカルエリアネットワークＬＮａには、複数の印刷装置３が接続される。印刷装置３は、印刷メディアが装着され、装着された印刷メディアに印刷する機能を有する装置である。印刷メディアは、紙媒体の用紙に限らず、フィルムや、繊維等の印刷装置３に装着可能であり、印刷装置３が印刷を行うことが可能な媒体を意味する。印刷装置３の構成、機能、及び、処理については後に詳述する。
なお、印刷装置３に印刷メディアが装着されるとは、印刷装置３が印刷メディアを印刷対象として印刷可能な状態となることを意味し、印刷装置３の仕様や、印刷メディアのタイプ（単票紙や、ロール紙等。）によって、その態様は異なる。
ローカルエリアネットワークＬＮａには、制御装置５（情報処理装置）（ネットワークを介して外部装置と通信可能な装置）、及び、画像処理装置６（情報処理装置）が接続される。これら装置の構成、機能、及び、処理については後に詳述する。
【００３２】
図１に示すように、情報処理システム１は、グローバルネットワークＧＮに接続されたメディアサーバー８（情報処理装置）（サーバー）を備える。メディアサーバー８は、少なくとも、印刷装置３、制御装置５、及び、後述する端末１１をクライアントとして、これら装置と通信可能なサーバー装置である。なお、図１では、メディアサーバー８を、１つのブロックによって表現するが、これはメディアサーバー８が単一のサーバー装置により構成されることを意味するものではない。例えば、メディアサーバー８は、複数のサーバー装置を含んで構成されたものでもよい。すなわち、メディアサーバー８は、後述する処理を実行可能であれば、どのような構成であってもよい。メディアサーバー８の構成、機能、及び、処理については後に詳述する。
【００３３】
図１に示すように、情報処理システム１は、グローバルネットワークＧＮに接続された複数のメディア提供システム１０を備える。メディア提供システム１０は、印刷メディアを提供する主体が管理する施設に設けられたシステムである。印刷メディアを提供する主体は、例えば、印刷メディアを製造し、販売するベンダーである。印刷メディアを提供する主体が管理する施設は、例えば、上記ベンダーのオフィスである。以下、印刷メディアを提供する主体を、便宜的に、「メディア提供者」という。メディア提供者は、印刷メディアを提供する組織、及び、組織に属する人間のいずれも含む概念である。
【００３４】
メディア提供システム１０は、ローカルエリアネットワークＬＮｂを備える。ローカルエリアネットワークＬＮｂは、メディア提供システム１０が設けられた施設に構築されたコンピューターネットワークである。ローカルエリアネットワークＬＮｂには、通信装置４ｂが接続される。通信装置４ｂは、通信装置４ａと同等の機能を有する装置である。
ローカルエリアネットワークＬＮｂには、複数の端末１１が接続される。端末１１は、液晶表示パネル等の表示手段、マウスや、キーボード等の入力手段を少なくとも備えるコンピューターである。端末１１には、ブラウザーがインストールされている。端末１１は、メディア提供者が使用する。
【００３５】
図２は、メディアサーバー８の機能的構成を示すブロック図である。
図２に示すように、メディアサーバー８は、サーバー制御部２０と、サーバー通信部２１と、サーバー記憶部２２とを備える。
サーバー制御部２０は、ＣＰＵや、ＲＯＭ、ＲＡＭ、ＡＳＩＣ、信号処理回路等を備え、メディアサーバー８の各部を制御する。サーバー制御部２０は、例えばＣＰＵが、ＲＯＭや後述するサーバー記憶部２２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
サーバー通信部２１は、サーバー制御部２０の制御で、グローバルネットワークＧＮと接続する装置と所定の通信規格に従って通信する。
サーバー記憶部２２は、不揮発性メモリーを含んで構成される記憶装置を備え、各種データを記憶する。サーバー記憶部２２は、メディアリスト２２ａと、カラープロファイル管理データベース２２ｂとを記憶する。これらデータについては後述する。
【００３６】
図３は、印刷システム２が備える装置の機能的構成を示すブロック図である。
【００３７】
制御装置５は、ローカルエリアネットワークＬＮａにおいて、画像処理装置６、及び、印刷装置３をクライアントとするサーバーとして機能するコンピューターである。
図３に示すように、制御装置５は、制御装置制御部３０と、制御装置通信部３１と、制御装置記憶部３２とを備える。
制御装置制御部３０は、ＣＰＵや、ＲＯＭ、ＲＡＭ、ＡＳＩＣ、信号処理回路等を備え、制御装置５の各部を制御する。制御装置制御部３０は、例えばＣＰＵが、ＲＯＭや後述する制御装置記憶部３２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
制御装置通信部３１は、制御装置制御部３０の制御で、ローカルエリアネットワークＬＮａ、及び、グローバルネットワークＧＮと接続する装置と所定の通信規格に従って通信する。
制御装置記憶部３２は、ＥＥＰＲＯＭ等の不揮発性メモリーを備え、各種データを記憶する。制御装置記憶部３２は、メディアテーブル３２ａと、カラープロファイル管理テーブル３２ｂとを記憶する。これらデータについては後述する。
制御装置５には、印刷管理プログラム３２ｃがインストールされる。制御装置制御部３０は、印刷管理プログラム３２ｃを読み出して実行し、印刷管理プログラム３２ｃの機能によって、後述する各種処理を実行する。
【００３８】
印刷装置３は、異なる種類の印刷メディアが装着可能であり、装着された印刷メディアに、インクジェットヘッドによりインクを吐出してドットを形成し、画像を印刷するインクジェットプリンターである。
特に、本実施形態に係る印刷装置３は、いわゆるＬＦＰ（Large Format Printer）であり、印刷メディアとして、大型の媒体を装着可能である。一例として、印刷装置３には、印刷メディアとして、単票紙の場合は「Ａ０」サイズの用紙を装着可能であり、また、ロール紙の場合は用紙幅が「９００ミリ」を超える用紙を装着可能である。
【００３９】
図３に示すように、印刷装置３は、印刷装置制御部４０と、印刷装置通信部４１と、印刷装置記憶部４２と、読取部４３と、印刷部４４と、装着部４５とを備える。
印刷装置制御部４０は、ＣＰＵや、ＲＯＭ、ＲＡＭ、ＡＳＩＣ、信号処理回路等を備え、印刷装置３の各部を制御する。印刷装置制御部４０は、例えばＣＰＵが、ＲＯＭや後述する印刷装置記憶部４２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
印刷装置通信部４１は、印刷装置制御部４０の制御で、ローカルエリアネットワークＬＮａ、及び、グローバルネットワークＧＮと接続する装置と所定の通信規格に従って通信する。
印刷装置記憶部４２は、ＥＥＰＲＯＭ等の不揮発性メモリーを備え、各種データを記憶する。
印刷装置３には、ファームウェア４２ａがインストールされる。印刷装置制御部４０は、ファームウェア４２ａを読み出して実行し、ファームウェア４２ａの機能により、後述する各種処理を実行する。
【００４０】
読取部４３は、ＩＣタグ（記憶媒体）との間で無線信号を送受信するアンテナと、ＲＦ回路とを有する読取装置を備え、ＩＣタグと所定の通信規格に従って通信し、ＩＣタグからデータを読み出す。読取部４３によるデータの読み取りの対象となるＩＣタグは、ＩＣタグが有するアンテナに誘起される電力によりＩＣタグが有するＩＣを駆動する受動型のＩＣタグである。
印刷部４４は、印刷装置３に装着された印刷メディアにインクを吐出してドットを形成するインクジェットヘッドや、インクジェットヘッドに対向する位置に設けられて印刷メディアを支持するプラテン、インクジェットヘッドとプラテンに位置する印刷メディアとの距離を適正に保つための吸引ファン、インクジェットヘッドを走査するキャリッジ、印刷メディアを搬送する搬送機構、搬送機構により搬送される印刷メディアに作用するテンションを調整するテンション機構、インクが付着した印刷メディアを乾燥するヒーター等を備える。印刷装置制御部４０は、印刷部４４を制御して、印刷装置３に装着された印刷メディアに画像を印刷する。
装着部４５は、印刷メディアが装着可能な機構を備え、印刷メディアが装着される。
【００４１】
印刷装置３は、複数の印刷モードを備える。印刷モードは、印刷解像度と、パス数との組み合わせごとに存在する。パス数とは、印刷メディアへの印刷に際し、印刷メディアにおける同一の領域に画像を印刷するときに行われるインクジェットヘッドのパスの回数を意味する。印刷解像度、及び、パス数は、ユーザーにより設定可能であり、印刷解像度、及び、パス数が設定されることにより、印刷モードが決定する。なお、印刷装置３の機種によって、印刷モードの態様は異なる。すなわち、印刷装置３の機種ごとに、印刷解像度と、パス数との組み合わせの態様が異なる。
【００４２】
画像処理装置６は、印刷装置３との関係でホストコンピューターとして機能するコンピューターである。
図３に示すように、画像処理装置６は、画像処理装置制御部５０と、画像処理装置通信部５１と、画像処理装置記憶部５２とを備える。
画像処理装置制御部５０は、ＣＰＵや、ＲＯＭ、ＲＡＭ、ＡＳＩＣ、信号処理回路等を備え、画像処理装置６の各部を制御する。画像処理装置制御部５０は、例えばＣＰＵが、ＲＯＭや後述する画像処理装置記憶部５２等に記憶されたプログラムをＲＡＭに読み出して処理を実行し、また例えばＡＳＩＣに実装された機能により処理を実行し、また例えば信号処理回路で信号処理を行って処理を実行する等、ハードウェア及びソフトウェアにより処理を実行する。
画像処理装置通信部５１は、画像処理装置制御部５０の制御で、ローカルエリアネットワークＬＮａ、及び、グローバルネットワークＧＮと接続する装置と所定の通信規格に従って通信する。
画像処理装置記憶部５２は、ＥＥＰＲＯＭ等の不揮発性メモリーを備え、各種データを記憶する。
画像処理装置６には、画像処理プログラム５２ａがインストールされる。画像処理装置制御部５０は、画像処理プログラム５２ａを読み出して実行し、画像処理プログラム５２ａの機能により、後述する各種処理を実行する。
【００４３】
画像処理プログラム５２ａは、印刷装置３に印刷させる画像のラスターデータ（印刷データ）を生成するＲＩＰ（Raster image Processor）ソフトウェアを含む。ラスターデータは、ドットマトリックス状に配置されたドットのそれぞれについて、印刷装置３が吐出可能なインクの色（例えば、シアン（Ｃ）、マゼンダ（Ｍ）、イエロー（Ｙ）、ブラック（Ｋ）。）のそれぞれの度合いを所定階調の階調値として保持するデータである。
画像処理装置制御部５０は、ＲＩＰソフトウェアの機能により、カラープロファイルを用いてラスターデータを生成する。カラープロファイルとしては例えばＩＣＣ（International Color Consortium）プロファイルが広く用いられている。
【００４４】
ところで、上述したように、印刷装置３は、装着された印刷メディアに印刷を行う。ここで、印刷メディアは、種類によって、色特性が異なる。色特性とは、印刷メディアの印刷面の色に関する特性である。特に本実施形態では、印刷メディアの色特性は、印刷メディアの印刷面の「ＨＳＶ色空間における色」を含む概念である。印刷メディアの色特性は、印刷メディアに用いられている材料、印刷メディアの製造工程で印刷メディアに施された着色、印刷メディアの製造方法、その他の要因により、印刷メディアの種類によって異なる。印刷装置３が高い品質で印刷メディアに印刷するためには、ラスターデータの生成に用いられるカラープロファイルが、印刷メディアの色特性を反映したファイルである必要がある。
そして、印刷メディアの色特性に関して、ユーザーが印刷メディアの色特性を容易に認識できるようにし、ユーザーの利便性を向上したいとするニーズがある。
以上を踏まえ、情報処理システム１の各装置は、以下の処理を実行する。
【００４５】
＜メディアリスト２２ａへのメディア特性情報の登録が行われる場合の情報処理システム１の処理＞
まず、メディア提供者により、メディアリスト２２ａにメディア特性情報（後述）が登録される場合の情報処理システム１の各装置の動作について説明する。
【００４６】
図４は、メディアリスト２２ａにメディア特性情報を登録する場合の端末１１、及び、メディアサーバー８の動作を示すフローチャートである。図４のフローチャートＦＡは端末１１の動作を示し、フローチャートＦＢはメディアサーバー８の動作を示す。
図４のフローチャートを用いた説明では、メディア提供者が、メディア提供者が提供する特定の印刷メディアのメディア特性情報を登録しようとしているものとする。
【００４７】
なお、詳細な説明は省略するが、メディアサーバー８と、他の装置との間では、既存の暗号化技術や、仮想専用線技術等により、セキュアな通信が行われる。また、メディアサーバー８は、他の装置からアクセスがあった場合に、必要に応じて適切に認証を行う。
【００４８】
図４のフローチャートＦＡに示すように、メディア特性情報を登録する場合、メディア提供者は、端末１１のブラウザーを起動し、メディアサーバー８の所定のＵＲＬへのアクセスを指示する（ステップＳ１）。ＵＲＬは、所定の方法で、メディア提供者に事前に通知される。
メディア提供者の指示に応じて、端末１１は、対応するＨＴＴＰリクエストをメディアサーバー８に送信する（ステップＳＡ１）。
【００４９】
図４のフローチャートＦＢに示すように、メディアサーバー８のサーバー制御部２０は、サーバー通信部２１を制御して、ＨＴＴＰリクエストを受信する（ステップＳＢ１）。
次いで、サーバー制御部２０は、受信したＨＴＴＰに対して、メディア特性情報登録画面Ｇ１（図５）を表示させるＨＴＭＬファイルを生成し、端末１１に送信する（ステップＳＢ２）。
【００５０】
図４のフローチャートＦＡに示すように、端末１１は、ＨＴＭＬファイルを受信する（ステップＳＡ２）。
次いで、端末１１は、受信したＨＴＭＬファイルに基づいて、表示手段にメディア特性情報登録画面Ｇ１を表示する（ステップＳＡ３）。
以下、メディア特性情報登録画面Ｇ１について、２つの例を用いて説明する。
【００５１】
図５は、メディア特性情報登録画面Ｇ１の一例であるメディア特性情報登録画面Ｇ１１を示す図である。
図５に示すように、メディア特性情報登録画面Ｇ１１は、印刷メディアを識別する識別情報（以下、「印刷メディア識別情報」という。）を入力する入力欄Ｎ１１ａを備える。メディア提供者は、メディア特性情報を登録する対象の印刷メディアの印刷メディア識別情報を入力欄Ｎ１１ａに入力する。
以下、印刷メディア情報を登録する対象の印刷メディアを、適宜、「登録対象印刷メディア」という。
【００５２】
図５に示すように、メディア特性情報登録画面Ｇ１１は、色相区間名称（区間名称）を入力する入力する入力欄Ｎ１１ｂと、彩度区間名称（区間名称）を入力する入力欄Ｎ１１ｃと、明度区間名称（区間名称）を入力する入力欄Ｎ１１ｄとを備える。
以下、色相区間名称、彩度区間名称、及び、明度区間名称について、説明する。
【００５３】
周知のとおり、ＨＳＶ色空間では、色に関するパラメーターとして、色相、彩度、及び、明度の３つのパラメーターが存在し、３つのパラメーターの組み合わせによって、ＨＳＶ色空間における色が特定される。
【００５４】
図７は、ＨＳＶ色空間における色相の説明に用いる図である。
ＨＳＶ色空間では、色相のパラメーター（以下、「色相パラメーター」という。）は、レッドを「０°」とし、色相の波長の変化に応じて、「０°」〜「３６０°」の範囲で色相が変化する円環における角度として表される。以下、ＨＳＶ色空間において、レッドを「０°」とする色相に関する円環を、便宜的に、「色相円環」という。
図７に示す色相円環で表される色相は、彩度、明度が共に１００％の純色である。図７に示す色相円環では、色相パラメーター：「０°」の色相はレッドであり、色相パラメーター：「３０°」の色相はオレンジであり、色相パラメーター：「６０°」の色相はイエローであり、色相パラメーター：「９０°」の色相はイエローグリーンであり、色相パラメーター：「１２０°」の色相はグリーンであり、色相パラメーター：「１５０°」の色相はターコイズブルーであり、色相パラメーター：「１８０°」の色相はシアンであり、色相パラメーター：「２１０°」の色相はコバルトブルーであり、色相パラメーター：「２４０°」の色相はブルーであり、色相パラメーター：「２７０°」の色相はパープルであり、色相パラメーター：「３００°」の色相はマゼンタであり、色相パラメーター：「３３０°」の色相はローズである。
【００５５】
以上のように、色相パラメーターは、色相パラメーター：「０°」〜色相パラメーター：「３６０°」の範囲で値をとり得る。
本実施形態では、色相パラメーターがとり得る範囲が、１２個の区間に分割される。以下、色相パラメーターに関し、分割された区間のそれぞれを総称して「色相区間」という。具体的には、色相パラメーター：「３４５°」〜色相パラメーター：「１５°」の第１色相区間、色相パラメーター：「１５°」〜色相パラメーター：「４５°」の第２色相区間、色相パラメーター：「４５°」〜色相パラメーター：「７５°」の第３色相区間、色相パラメーター：「７５°」〜色相パラメーター：「１０５°」の第４色相区間、色相パラメーター：「１０５°」〜色相パラメーター：「１３５°」の第５色相区間、色相パラメーター：「１３５°」〜色相パラメーター：「１６５°」の第６色相区間、色相パラメーター：「１６５°」〜色相パラメーター：「１９５°」の第７色相区間、色相パラメーター：「１９５°」〜色相パラメーター：「２２５°」の第８色相区間、色相パラメーター：「２２５°」〜色相パラメーター：「２５５°」の第９色相区間、色相パラメーター：「２５５°」〜色相パラメーター：「２８５°」の第１０色相区間、色相パラメーター：「２８５°」〜色相パラメーター：「３１５°」の第１１色相区間、色相パラメーター：「３１５°」〜色相パラメーター：「３４５°」の第１２色相区間に分割される。
【００５６】
そして、色相区間のそれぞれに、色相区間の色相の傾向を形容する表現（言葉）を含む色相区間名称が事前に付与される。本実施形態では、第１色相区間に色相区間名称：「レッド」が付与され、第２色相区間に色相区間名称：「オレンジ」が付与され、第３色相区間に色相区間名称：「イエロー」が付与され、第４色相区間に色相区間名称：「イエローグリーン」が付与され、第５色相区間に色相区間名称：「グリーン」が付与され、第６色相区間に色相区間名称：「ターコイズブルー」が付与され、第７色相区間に色相区間名称：「シアン」が付与され、第８色相区間に色相区間名称：「コバルトブルー」が付与され、第９色相区間に色相区間名称：「ブルー」が付与され、第１０色相区間に色相区間名称：「パープル」が付与され、第１１色相区間に色相区間名称：「マゼンタ」が付与され、第１２色相区間に色相区間名称：「ローズ」が付与される。
【００５７】
以上のように、色相区間名称は、対応する色相区間の範囲において、範囲の中央の色相パラメーターの色相を表す言葉を含む。１の色相区間の範囲の中央の色相パラメーターの色相を表す言葉は、当該１の色相区間の色相の傾向を表す言葉と言える。従って、人間は、色相区間名称を認識することによって、色相区間名称に対応する色相区間の色相の傾向を直感的、感覚的に認識できる。
【００５８】
ここで、本実施形態では、全ての色相区間について、色相区間の長さは「３０°」であり、同一である。この点に関し、色相の特徴を踏まえて、以下の構成としてもよい。
すなわち、色相には、色相パラメーター：「０°」付近の色相については、人間は、色相の変化に敏感である一方、色相パラメーター：「１８０°」付近の色相については、人間は、色相の変化に鈍感である、という特性がある。例えば、色相パラメーター：「０°」の色相から、「５°」分、色相が変化した場合、色を視認する人間は、色相の変化を敏感に認識できる傾向があるが、色相パラメーター：「１８０°」の色相から、「５°」分、色相が変化した場合、色を視認する人間は、色相の変化を感覚としてあまり認識できない傾向がある。
これを踏まえ、色相パラメーター：「０°」付近の色相（第１の色相）に対応する色相区間の長さを、色相パラメーター：「１８０°」付近の色相（第２の色相）に対応する色相区間の範囲よりも小さくしてもよい。一例として、色相パラメーターがとり得る範囲を１２個の色相区間に分割した場合において、色相パラメーター：「０°」付近の３つの色相区間の範囲を「１０°」とする一方、色相パラメーター：「１８０°」付近の３つの色相区間の範囲を「５０°」とし、他の色相区間の範囲を「３０°」としてもよい。
【００５９】
また、ＨＳＶ色空間では、彩度のパラメーター（以下、「彩度パラメーター」という。）は、０％〜１００％の範囲で値をとり得る。周知のとおり、彩度パラメーター：「１００％」は最も鮮やかな彩度（いわゆる純色に対応する彩度。）であり、彩度パラメーターの値が小さくなるに従って、鮮やかさが小さくなって薄くなっていき（くすんでいき）、彩度パラメーター：「０％」は最も薄い（くすんだ）彩度（いわゆる無彩色に対応する彩度。）である。
本実施形態では、彩度パラメーターがとり得る範囲が、５個の区間に分割される。以下、彩度パラメーターに関し、分割された区間のそれぞれを総称して「彩度区間」という。具体的には、彩度パラメーター：「０％」〜彩度パラメーター：「２０％」の第１彩度区間、彩度パラメーター：「２０％」〜彩度パラメーター：「４０％」の第２彩度区間、彩度パラメーター：「４０％」〜彩度パラメーター：「６０％」の第３彩度区間、彩度パラメーター：「６０％」〜彩度パラメーター：「８０％」の第４彩度区間、彩度パラメーター：「８０％」〜彩度パラメーター：「１００％」の第５彩度区間に分割される。
【００６０】
そして、彩度区間のそれぞれに、彩度区間の彩度の度合いを相対的に形容する表現（言葉）を含む彩度区間名称が事前に付与される。本実施形態では、第１彩度区間に彩度区間名称：「薄い」が付与され、第２彩度区間に彩度区間名称：「やや薄い」が付与され、第３彩度区間に彩度区間名称：「標準」が付与され、第４彩度区間に彩度区間名称：「やや鮮やか」が付与され、第５彩度区間に彩度区間名称：「鮮やか」が付与される。
なお、彩度区間名称に関し、「薄い」という表現に代えて、例えば、「くすむ」、「くすみ」といった表現を用いてもよい。
【００６１】
以上のように、彩度区間名称は、対応する彩度区間の彩度の度合いを形容する言葉を含む。例えば、第１彩度区間には、彩度区間名称として、彩度区間名称：「薄い」が付与される。そして、第１彩度区間に対応する彩度が、他の彩度区間に対応する彩度と比較して、最も薄い（くすんでいる）こと、及び、他の彩度区間に対して、彩度区間名称として、彩度区間名称：「やや薄い」、彩度区間名称：「標準」、彩度区間名称：「やや鮮やか」、彩度区間名称：「鮮やか」が付与されていることを踏まえると、第１彩度区間に付与された彩度区間名称は、彩度の度合いを形容する言葉を含むと言える。従って、人間は、彩度区間名称を認識することによって、彩度区間名称に対応する彩度区間の彩度の度合いを直感的、感覚的に認識できる。
【００６２】
ここで、本実施形態では、全ての彩度区間について、彩度区間の長さは「２０％」であり、同一である。この点に関し、彩度の特徴を踏まえて、以下の構成としてもよい。
すなわち、彩度には、彩度パラメーターの値が小さいほど、人間は、彩度の変化に敏感であるという特性がある。例えば、彩度パラメーター：「１０％」の彩度から、「５％」分、彩度が変化した場合、色を視認する人間は、彩度の変化を敏感に認識できる傾向があるが、彩度パラメーター：「９０％」の色相から、「５％」分、彩度が変化した場合、色を視認する人間は、彩度の変化を感覚としてあまり認識できない傾向がある。
これを踏まえ、彩度パラメーターについて、彩度の度合いが低い彩度区間の長さを、彩度の度合いが高い彩度区間の長さと比較して小さくしてもよい。一例として、彩度パラメーターがとり得る範囲を５個の彩度区間に分割した場合において、彩度パラメーターがとり得る範囲を、彩度パラメーター：「０％」〜彩度パラメーター：「１０％」の第１彩度区間、彩度パラメーター：「１０％」〜彩度パラメーター：「２０％」の第２彩度区間、彩度パラメーター：「２０％」〜彩度パラメーター：「４０％」の第３彩度区間、彩度パラメーター：「４０％」〜彩度パラメーター：「７０％」の第４彩度区間、彩度パラメーター：「７０％」〜彩度パラメーター：「１００％」の第５彩度区間に分割してもよい。
【００６３】
また、ＨＳＶ色空間では、明度のパラメーター（以下、「明度パラメーター」という。）は、０％〜１００％の範囲で値をとり得る。周知のとおり、明度パラメーター：「１００％」は最も明るい明度（いわゆる純色。）であり、明度パラメーターの値が小さくなるに従って、暗くなっていき、明度パラメーター：「０％」は最も暗い明度（いわゆる黒色。）である。
本実施形態では、明度パラメーターがとり得る範囲が、５個の区間に分割される。以下、明度パラメーターに関し、分割された区間のそれぞれを総称して「明度区間」という。具体的には、明度パラメーター：「０％」〜明度パラメーター：「２０％」の第１明度区間、明度パラメーター：「２０％」〜明度パラメーター：「４０％」の第２明度区間、明度パラメーター：「４０％」〜明度パラメーター：「６０％」の第３明度区間、明度パラメーター：「６０％」〜明度パラメーター：「８０％」の第４明度区間、明度パラメーター：「８０％」〜明度パラメーター：「１００％」の第５明度区間に分割される。
【００６４】
そして、明度区間のそれぞれに、明度区間の明度の度合いを相対的に形容する表現（言葉）を含む明度区間名称が事前に付与される。本実施形態では、第１明度区間に明度区間名称：「暗い」が付与され、第２明度区間に明度区間名称：「やや暗い」が付与され、第３明度区間に明度区間名称：「標準」が付与され、第４明度区間に明度区間名称：「やや明るい」が付与され、第５明度区間に明度区間名称：「明るい」が付与される。
【００６５】
以上のように、明度区間名称は、対応する明度区間の明度の度合いを形容する言葉を含む。例えば、第１明度区間には、明度区間名称として、明度区間名称：「暗い」が付与される。そして、第１明度区間に対応する明度が、他の明度区間に対応する明度と比較して、最も暗いこと、及び、他の明度区間に対して、明度区間名称として、明度区間名称：「やや暗い」、明度区間名称：「標準」、明度区間名称：「やや明るい」、明度区間名称：「明るい」が付与されていることを踏まえると、第1明度区間に付与された明度区間名称は、明度の度合いを形容する言葉を含むと言える。従って、人間は、明度区間名称を認識することによって、明度区間名称に対応する明度区間の明度の度合いを直感的、感覚的に認識できる。
【００６６】
ここで、本実施形態では、全ての明度区間について、明度区間の長さは「２０％」であり、同一である。この点に関し、明度の特徴を踏まえて、以下の構成としてもよい。
すなわち、明度には、明度パラメーターの値が小さいほど、人間は、明度の変化に敏感であるという特性がある。例えば、明度パラメーター：「１０％」の明度から、「５％」分、明度が変化した場合、色を視認する人間は、明度の変化を敏感に認識できる傾向があるが、明度パラメーター：「９０％」の色相から、「５％」分、明度が変化した場合、色を視認する人間は、明度の変化を感覚としてあまり認識できない傾向がある。
これを踏まえ、明度パラメーターについて、明度の度合いが低い明度区間の長さを、明度の度合いが高い明度区間の長さと比較して小さくしてもよい。一例として、明度パラメーターがとり得る範囲を５個の明度区間に分割した場合において、明度パラメーターがとり得る範囲を、明度パラメーター：「０％」〜明度パラメーター：「１０％」の第１明度区間、明度パラメーター：「１０％」〜明度パラメーター：「２０％」の第２明度区間、明度パラメーター：「２０％」〜明度パラメーター：「４０％」の第３明度区間、明度パラメーター：「４０％」〜明度パラメーター：「７０％」の第４明度区間、明度パラメーター：「７０％」〜明度パラメーター：「１００％」の第５明度区間に分割してもよい。
【００６７】
以上、色相区間名称、彩度区間名称、及び、明度区間名称について説明した。
以上のように、本実施形態では、印刷メディアについて、色空間における色相、彩度、及び、明度の３つのパラメーターのそれぞれがとり得る範囲が複数の区間に分割され、各区間に区間名称が付与される。
ここで、印刷メディアについて、色空間における３つのパラメーターの各区間の間隔は、印刷装置３の機種のうち、色空間における３つのパラメーターの各区間の間隔が最も「細かい」機種における各区間の間隔と同等か、細かいものとされる。
詳述すると、後述するように、印刷装置３についても、色空間が、色相パラメーター、彩度パラメーター、色相パラメーターのそれぞれがとり得る範囲が、複数の区間に分割される。そして、印刷装置３の色空間に関し、印刷装置３の機種によって、適切なパラメーターの区間の間隔は、異なる。機種によって印刷装置３の仕様（搭載するインクカートリッジの色材や、色数等。）が異なり、機種によって印刷装置３が表現可能な色が異なるからである。そして、本実施形態では、印刷メディアについて、色空間における３つのパラメーターの各区間の間隔は、印刷装置３の機種のうち、色空間における３つのパラメーターの各区間の間隔が最も細かい機種における各区間の間隔と同等か、より細かくされる。例えば、印刷装置３の機種のうち、色空間における色相パラメーターの色相区間の間隔が最も細かい機種の、色相区間の間隔が、色相円環における「０°」を起点とし、「１５°」であったとする。この場合、印刷メディアについて、色空間における色相パラメーターの色相区間の間隔は、色相円環における「０°」を起点として「１５°」か、「１５°」の約数とされる。このことの効果については、後述する。
【００６８】
さて、図５に示すように、メディア特性情報登録画面Ｇ１１には、色特性画像ＩＧ１１ａが表示される。色特性画像ＩＧ１１ａは、メディア提供者が現時点で選択した色相区間名称に対応する色相、彩度区間名称に対応する彩度、及び、明度区間名称に対応する明度の色で塗りつぶされた矩形の画像である。ユーザーは、色特性画像ＩＧ１１ａの色を参照することにより、選択した区間名称に対応する色を認識することができ、例えば、印刷メディアの色特性との一致性を確認できる。
図５に示すように、メディア特性情報登録画面Ｇ１１は、色相区間名称を入力する入力欄Ｎ１１ｂを有する。入力欄Ｎ１１ｂは、プルダウンメニューとなっている。入力欄Ｎ１１ｂに係るプルダウンメニューには、選択可能な色相区間名称のそれぞれが項目として一覧表示される。
メディア提供者は、入力欄Ｎ１１ｂに係るプルダウンメニューに一覧表示された色相区間名称の中から、登録対象印刷メディアの色特性に係る色相に対応する色相区間名称を選択する。色相区間名称の選択に応じて、入力欄Ｎ１１ｂにメディア提供者が選択した色相区間名称が入力される。なお、事前に、登録対象印刷メディアの色特性に関する測定、調査が適切に行われており、メディア提供者は、入力欄Ｎ１１ｂに係るプルダウンメニューに一覧表示された色相区間名称の中から、適切な色相区間名称を選択する。
彩度区間名称を入力する入力欄Ｎ１１ｃは、彩度区間名称が項目として一覧表示されたプルダウンメニューである。メディア提供者は、入力欄Ｎ１１ｃに、登録対象印刷メディアの色特性に係る彩度に対応する彩度区間名称を入力する。
明度区間名称を入力する入力欄Ｎ１１ｄは、明度区間名称が項目として一覧表示されたプルダウンメニューである。メディア提供者は、入力欄Ｎ１１ｄに、登録対象印刷メディアの色特性に係る明度に対応する明度区間名称を入力する。
【００６９】
図５に示すように、メディア特性情報登録画面Ｇ１１は、当該画面に設けられた入力欄に対する入力を確定する確定ボタンＢＫ１１ａを備える。
メディア提供者は、メディア特性情報登録画面Ｇ１１の各入力欄に情報を入力し、確定ボタンＢＫ１１ａを操作する。確定ボタンＢＫ１１ａの操作により、メディア特性情報登録画面Ｇ１１への入力が確定する。
【００７０】
以上のように、メディア提供者は、メディア特性情報の登録に際し、印刷メディアの色特性に係る色相、彩度、明度について、予め用意された区間名称を選択すればよく、色相、彩度、明度に関する具体的な値を入力する必要がない。このため、メディア提供者の利便性が高い。
【００７１】
図８は、メディア特性情報登録画面Ｇ１の別の一例であるメディア特性情報登録画面Ｇ１２を示す図である。
図８に示すように、メディア特性情報登録画面Ｇ１２、印刷メディア識別情報を入力する入力欄Ｎ１２ａを備える。メディア提供者は、登録対象印刷メディアの印刷メディア識別情報を入力欄Ｎ１２ａに入力する。
【００７２】
図８に示すように、メディア特性情報登録画面Ｇ１２は、色相に関する領域Ａ１２ａを有する。領域Ａ１２ａには、カラーパレット画像ＫＰ１２ａが表示される。カラーパレット画像ＫＰ１２ａは、色相円環に沿って配置された複数の色相選択ボタンＢＢ１２ａを有する。色相選択ボタンＢＢ１２ａは、それぞれ、異なる色によって塗りつぶされた矩形の画像であり、選択することが可能である。色相選択ボタンＢＢ１２ａのそれぞれは、色相区間名称のそれぞれと対応する。１の色相選択ボタンＢＢ１２ａを塗りつぶす色の色相は、当該１の色相選択ボタンＢＢ１２ａに対応する色相区間名称が示す色相（純色の場合の色相。）とされる。色相選択ボタンＢＢ１２ａは、それぞれ、色相円環における色相に対応する位置に配置される。色相選択ボタンＢＢ１２ａのそれぞれの近傍には、色相の傾向を表す文言（対応する色相区間名称そのものであってもよい。）が表示される。
領域Ａ１２ａにおいて、カラーパレット画像ＫＰ１２ａの右方には、表示欄Ｈ１２ａが設けられる。
色相区間名称の選択に際し、メディア提供者は、登録対象印刷メディアの色特性に係る色相に対応する色相選択ボタンＢＢ１２ａを、例えば、カーソルを合わせてクリックする等の所定の手段によって選択する。色相選択ボタンＢＢ１２ａが選択されることにより、色相区間名称が選択される。色相選択ボタンＢＢ１２ａの選択に応じて、選択された色相選択ボタンＢＢ１２ａに対応する色相区間名称が、表示欄Ｈ１２ａに表示される。
ＨＴＭＬファイルに実装されたスクリプトは、色相パラメーターテーブルＰＴ１に基づいて、ユーザーにより色相選択ボタンＢＢ１２ａが選択された場合に、選択されたボタンに対応する色相区間名称を特定する機能を有する。
図６Ａは、色相パラメーターテーブルＰＴ１の一例を示す図である。
図６Ａに示すように、色相パラメーターテーブルＰＴ１は、色相区間（色相円環における角度の範囲）と、色相区間名称とを対応付けるテーブルである。色相区間のそれぞれ（色相円環における角度の範囲のそれぞれ）は、カラーパレット画像ＫＰにおける色相選択ボタンＢＢ１２ａのそれぞれと対応する。
【００７３】
メディア提供者は、カラーパレット画像ＫＰ１２ａの色相を視認することにより色相を具体的にイメージしながら、カラーパレット画像ＫＰ１２ａを選択するという簡易な手段により、色相区間名称を入力できる。
【００７４】
図８に示すように、メディア特性情報登録画面Ｇ１２は、彩度に関する領域Ａ１２ｂを有する。領域Ａ１２ｂには、「０％」〜「１００％」の範囲で彩度パラメーターを選択できるスライドバーＢＲ１２ａが表示される。
領域Ａ１２ｂにおいて、スライドバーＢＲ１２ａの右方には、表示欄Ｈ１２ｂが設けられる。
彩度区間名称の選択に際し、メディア提供者は、スライドバーＢＲ１２ａの所望の位置にスライドボタンＳＢ１２ａを位置させることにより、彩度パラメーターを選択する。彩度パラメーターの選択により、選択された彩度パラメーターが属する彩度区間に対応する彩度区間名称が選択される。彩度パラメーターの選択に応じて、選択された彩度パラメーターが属する彩度区間に対応する彩度区間名称が、表示欄Ｈ１２ｂに表示される。
ＨＴＭＬファイルに実装されたスクリプトは、彩度パラメーターテーブルＰＴ２に基づいて、ユーザーにより彩度パラメーターが選択された場合に、選択された彩度パラメーターが属する彩度区間名称を特定する機能を有する。
図６Ｂは、彩度パラメーターテーブルＰＴ２の一例を示す図である。
図６Ｂに示すように、彩度パラメーターテーブルＰＴ２は、彩度区間と、彩度区間名称とを対応付けるテーブルである。
メディア提供者は、スライドバーＢＲ１２ａを利用して、登録対象印刷メディアの色特性に係る彩度パラメーターを選択するという簡易な手段により、彩度区間名称を入力できる。
【００７５】
図８に示すように、メディア特性情報登録画面Ｇ１２は、明度に関する領域Ａ１２ｃを有する。領域Ａ１２ｃには、「０％」〜「１００％」の範囲で明度パラメーターを選択できるスライドバーＢＲ１２ｂが表示される。
領域Ａ１２ｃにおいて、スライドバーＢＲ１２ｂの右方には、表示欄Ｈ１２ｃが設けられる。
明度区間名称の選択に際し、メディア提供者は、スライドバーＢＲ１２ｂの所望の位置にスライドボタンＳＢ１２ｂを位置させることにより、明度パラメーターを選択する。明度パラメーターの選択により、選択された明度パラメーターが属する明度区間に対応する明度区間名称が選択される。明度パラメーターの選択に応じて、選択された明度パラメーターが属する明度区間に対応する明度区間名称が、表示欄Ｈ１２ｃに表示される。
ＨＴＭＬファイルに実装されたスクリプトは、明度パラメーターテーブルＰＴ３に基づいて、ユーザーにより明度パラメーターが選択された場合に、選択された明度パラメーターが属する明度区間名称を特定する機能を有する。
図６Ｃは、明度パラメーターテーブルＰＴ３の一例を示す図である。
図６Ｃに示すように、明度パラメーターテーブルＰＴ３は、明度区間と、明度区間名称とを対応付けるテーブルである。
メディア提供者は、スライドバーＢＲ１２ｂを利用して、登録対象印刷メディアの色特性に係る明度パラメーターを選択するという簡易な手段により、明度区間名称を入力できる。
【００７６】
図８に示すように、メディア特性情報登録画面Ｇ１２において、スライドバーＢＲ１２ｂの下方には、色特性画像ＩＧ１２ａが表示される。色特性画像ＩＧ１２ａは、メディア提供者が現時点で選択した色相区間名称に対応する色相、彩度区間名称に対応する彩度、及び、明度区間名称に対応する明度の色で塗りつぶされた矩形の画像である。ユーザーは、色特性画像ＩＧ１２ａの色を参照することにより、選択した区間名称に対応する色を認識することができ、例えば、印刷メディアの色特性との一致性を確認できる。
【００７７】
図８に示すように、メディア特性情報登録画面Ｇ１２は、区間名称の選択を確定する確定ボタンＢＫ１２ａを備える。
メディア提供者は、メディア特性情報登録画面Ｇ１２で色相区間名称、彩度区間名称、明度区間名称を選択し、確定ボタンＢＫ１２ａを操作する。確定ボタンＢＫ１２ａの操作により、メディア特性情報登録画面Ｇ１２への入力が確定する。
【００７８】
図４のフローチャートＦＡに示すように、メディア提供者によりメディア特性情報登録画面Ｇ１への入力が確定されると（ステップＳ２）、端末１１は、ＨＴＭＬファイルに実装されたスクリプトの機能により、印刷メディア識別情報、色相区間名称、彩度区間名称、及び、明度区間名称を、メディアサーバー８に送信する（ステップＳＡ４）。
【００７９】
図４のフローチャートＦＢに示すように、メディアサーバー８のサーバー制御部２０は、サーバー通信部２１を制御して、印刷メディア識別情報、色相区間名称、彩度区間名称、及び、明度区間名称を受信する（ステップＳＢ３）。
次いで、サーバー制御部２０は、ステップＳＢ３で受信した情報に基づいて、メディア特性情報を生成する（ステップＳＢ４）。
以下、メディア特性情報について詳述する。
【００８０】
図９は、メディア特性情報の一例を示す図である。
図９に示すように、メディア特性情報は、３つのパラメーターに対応する区間名称が、区切文字で区切られて、予め定められたパラメーターの順番で配列された情報である。本実施形態では、メディア特性情報は、３つのパラメーターに対応する区間名称が、区切文字：「／」で区切られて、色相、彩度、明度の順番で配列された情報である。
【００８１】
ステップＳＢ４において、サーバー制御部２０は、ステップＳＢ３で受信した区間名称のそれぞれに基づいて、以下の処理を実行する。すなわち、サーバー制御部２０は、ステップＳＢ３で受信した区間名称を、色相、彩度、明度の順番に従って、色相区間名称、彩度区間名称、明度区間名称の順番で、区切文字：「／」で区切って並べて配列することにより、メディア特性情報を生成する。メディア提供者が入力し、又は、選択した区間名称のそれぞれは、登録対象印刷メディアの色特性に対応するものである。従って、メディア特性情報は、登録対象印刷メディアの色特性の色相に対応する色相区間名称、当該色特性の彩度に対応する彩度区間名称、及び、当該色特性の明度に対応する明度区間名称が、所定の順番で並んで配列された情報である。
【００８２】
ここで、メディア特性情報について、より詳細に説明する。
図１０は、メディア特性情報を説明するため、３次元空間で彩度パラメーターの軸、及び、明度パラメーターの軸が直交させると共に、色相パラメーターを彩度パラメーターと明度パラメーターとの関係を反映して３次元的に展開することによってＨＳＶ色空間を表した図である。なお、図１０で示す球体は、ＨＳＶ色空間を表現する１例である。ＨＳＶ色空間は、例えば、円柱や、円錐等の種々の方法で表現可能である。
図１０に示すＨＳＶ色空間において、彩度パラメーターの軸と、明度パラメーターの軸とが交わる点が、原点Ｘである。原点Ｘは、彩度パラメーターが「０％」であり、明度パラメーターが「５０％」である位置に対応する。
上述したように、印刷メディアの色特性について、ＨＳＶ色空間における３つのパラメーターのそれぞれは、複数の区間に分割される。これを踏まえ、ＨＳＶ色空間は、色相区間と、彩度区間と、明度区間との組み合わせごとに、立体的な領域をもった「ピース」に区切られる。以下、印刷メディアの色特性のＨＳＶ色空間におけるピースを「メディアピース」という。
【００８３】
上述したように、メディア特性情報は、色相区間名称と、彩度区間名称と、明度区間名称との組み合わせを有する。従って、メディア特性情報により、印刷メディアの色特性のＨＳＶ色空間における１つのメディアピースが特定される。すなわち、メディア特性情報は、当該情報が含む色相区間名称に対応する色相区間と、当該情報が含む彩度区間名称に対応する彩度区間と、当該情報が含む明度区間名称に対応する明度区間との組み合わせに対応するメディアピースを特定する。
そして、メディア特性情報が特定するメディアピースは、印刷メディアの色特性の色相、彩度、及び、明度のそれぞれを反映したメディアピースである。従って、１の印刷メディアのメディア特性情報が特定するメディアピースに属する色と、印刷メディアの印刷面の色とは、色の傾向が一致する。
【００８４】
以上のように、メディア特性情報には、区間名称が、予め定められたパラメーターの順番に従って配列される。また、メディア特性情報が含む区間名称のそれぞれは、印刷メディアの色特性の３つのパラメーターに対応する。メディア特性情報がこのような構成のため、以下の効果を奏する。すなわち、人間が、１の印刷メディアのメディア特性情報を認識したときに、当該１の印刷メディアの色特性を、感覚的、直感的に認識できる。また、メディア特性情報は、区間名称が予め定められた順番に従って配列されるという単純な構造のため、区間名称を規格化し、区間名称が並ぶ順番を規格化することによって、メディア特性情報を規格化することができ、規格化に有利である。
また、以上のように、ＨＳＶ色空間が印刷メディア依存で区切られることによってメディアピース群が構成される。そして、メディア特性情報により、ＨＳＶ色空間を印刷メディア依存で区切ったメディアピース群の任意のピースを特定可能である。
【００８５】
図４のフローチャートＦＢに示すように、ステップＳＢ４でメディア特性情報を生成した後、サーバー制御部２０は、生成したメディア特性情報を、メディアリスト２２ａに登録する（ステップＳＢ５）。
メディアリスト２２ａは、印刷メディアごとに、レコードを有するデータベースである。
図１１は、メディアリスト２２ａの１件のレコードの内容を示す図である。
図１１に示すように、メディアリスト２２ａの１件のレコードは、印刷メディア識別情報と、メディア特性情報とを有する。
【００８６】
なお、図１１で示すメディアリスト２２ａの１件のレコードが有する情報は、一例であり、印刷メディア識別情報、及び、メディア特性情報に加えて他の情報を有してもよい。このことは、後述するメディアテーブル３２ａについても同様である。例えば、１件のレコードは、印刷メディアの提供元のメディア提供者を識別する情報（以下、「メディア提供者識別情報」という。）を有してもよい。
図１２は、メディアリスト２２ａの内容の一例を示す図である。
図１２で例示するメディアリスト２２ａは、メディア提供者識別情報と、印刷メディア識別情報と、メディア特性情報とを有する。図１２のように、各レコードがメディア提供者識別情報を有することにより、メディア提供者識別情報をキーとしてリスト内を検索することが可能となる。
図１２の例では、メディア提供者識別情報：「ＡＡＡ」のメディア提供者が提供する印刷メディア識別情報：「ａａａ」の印刷メディアのメディア特性情報は、「レッド／薄い／やや暗い」である。また、メディア提供者識別情報：「ＢＢＢ」のメディア提供者が提供する印刷メディア識別情報：「ｂｂｂ」の印刷メディアのメディア特性情報は、「オレンジ／薄い／明るい」である。また、メディア提供者識別情報：「ＣＣＣ」のメディア提供者が提供する印刷メディア識別情報：「ｃｃｃ」の印刷メディアのメディア特性情報は、「イエロー／鮮やか／暗い」である。
【００８７】
ステップＳＢ５において、サーバー制御部２０は、ステップＳＢ３で受信した印刷メディア識別情報と、ステップＳＢ４で生成したメディア特性情報とを有するレコードを、メディアリスト２２ａに登録する。
ステップＳＢ７の処理により、メディアリスト２２ａへのメディア特性情報の登録が完了する。
【００８８】
次いで、サーバー制御部２０は、登録完了通知画面Ｇ２（図１３）を表示させるＨＴＭＬファイルを生成し、端末１１に送信する（ステップＳＢ６）。
【００８９】
図４のフローチャートＦＡに示すように、端末１１は、ＨＴＭＬファイルを受信する（ステップＳＡ５）。
次いで、端末１１は、受信したＨＴＭＬファイルに基づいて、表示手段に登録完了通知画面Ｇ２を表示する（ステップＳＡ６）。
【００９０】
図１３は、登録完了通知画面Ｇ２を示す図である。
図１３に示すように、登録完了通知画面Ｇ２には、メディア特性情報、及び、メディア特性情報の登録が完了したことを示す情報が表示される。メディア提供者は、登録完了通知画面Ｇ２を視認することにより、メディア特性情報の内容、及び、メディア特性情報の登録が完了したことを認識できる。
【００９１】
なお、詳細な説明は省略するが、メディア提供者は、任意のタイミングで、所定の方法で、メディアリスト２２ａに登録されたメディア特性情報の内容を変更することができ、また、メディアリスト２２ａに登録されたレコードのうち、特定のメディア特性情報に対応するレコードを削除できる。
【００９２】
＜印刷装置３により印刷が行われる場合の情報処理システム１の処理＞
次に、印刷装置３により印刷が行われる場合の情報処理システム１の各装置の処理について説明する。
【００９３】
図１４は、印刷装置３による印刷が行われる場合の画像処理装置６、印刷装置３、及び、制御装置５の動作を示すフローチャートである。図１４のフローチャートＦＣは画像処理装置６の動作を示し、フローチャートＦＤは印刷装置３の動作を示し、フローチャートＦＥは制御装置５の動作を示す。
画像処理装置６は、フローチャートＦＣの処理を、画像処理プログラム５２ａを含むプログラム等のソフトウェアと、ＣＰＵ、その他のハードウェアとの協働により実行する。印刷装置３は、フローチャートＦＤの処理を、ファームウェア４２ａを含むプログラム等のソフトウェアと、ＣＰＵ、その他のハードウェアとの協働により実行する。制御装置５は、フローチャートＦＥの処理を、画像処理プログラム５２ａを含むプログラム等のソフトウェアと、ＣＰＵ、その他のハードウェアとの協働により実行する。
【００９４】
図１４のフローチャートＦＣに示すように、印刷装置３による印刷を行う場合、ユーザーは、所定の方法で、画像処理装置６に対して、印刷の開始を指示する（ステップＳ３）。印刷の開始の指示に際し、ユーザーは、印刷を行わせる印刷装置３を指定する。本実施形態では、印刷装置３ごとに、印刷装置３を識別する識別情報（以下、「印刷装置識別情報」という。）が割り振られており、ユーザーは、所定の方法で、画像処理装置６に対して、印刷装置識別情報を指定する。印刷装置識別情報は、例えば、印刷装置３ごとに固有の情報（例えば、シリアル番号。）でもよく、また例えば、ローカルエリアネットワークＬＮａ内で印刷装置３を識別するために印刷装置３に付与された名称でもよい。
【００９５】
画像処理装置６の画像処理装置制御部５０は、ユーザーによる印刷の開始の指示に応じて、画像処理装置通信部５１を制御して、印刷の開始を通知する印刷開始通知情報を、ユーザーが指定した印刷装置３に送信する（ステップＳＣ１）。
なお、画像処理装置６の画像処理装置記憶部５２は、ローカルエリアネットワークＬＮａに接続された印刷装置３のそれぞれについて、印刷装置識別情報と対応付けて、印刷装置３と通信するために必要な情報（アドレスや、通信に用いる通信プロトコルに関する情報等。）を記憶している。
【００９６】
図１４のフローチャートＦＤに示すように、印刷装置３の印刷装置制御部４０は、印刷装置通信部４１を制御して、印刷開始通知情報を受信する（ステップＳＤ１）。
印刷開始通知情報の受信に応じて、印刷装置制御部４０は、読取部４３を制御して、以下の処理を実行する（ステップＳＤ２）。すなわち、印刷装置制御部４０は、読取部４３を制御して、印刷装置３に装着された印刷メディアに、ＩＣタグが取り付けられているか否かを判別すると共に、ＩＣタグが取り付けられている場合には、ＩＣタグにメディア特性情報が記録されているか否かを判別する。
【００９７】
ここで、メディア提供者は、印刷メディアを提供する場合において、印刷メディアに、メディア特性情報が記録されたＩＣタグを印刷メディアに取り付けた上で、印刷メディアを提供することができる。ＩＣタグは、印刷メディアの構成要素のうち、印刷装置３により消費されない構成要素に取り付けられる。例えば、印刷メディアがロール紙の場合において、ＩＣタグは、ロール紙の芯に取り付けられる。
読取部４３の読取装置は、ＩＣタグが取り付けられた印刷メディアが印刷装置３に装着された状態において、ＩＣタグと無線通信が可能な位置に設けられる。
【００９８】
ステップＳＤ２において、「印刷メディアにＩＣタグが取り付けられている」かつ「ＩＣタグにメディア特性情報が記録されている」と判別した場合（ステップＳＤ２：ＹＥＳ）、印刷装置制御部４０は、処理手順をステップＳＤ３へ移行する。
ステップＳＤ３において、印刷装置制御部４０は、読取部４３を制御して、ＩＣタグからメディア特性情報を読み取らせ、メディア特性情報を取得する。ステップＳＤ３の処理後、印刷装置制御部４０は、処理手順をステップＳＤ７へ移行する。
【００９９】
ステップＳＤ２において、「印刷メディアにＩＣタグが取り付けられていない」又は「印刷メディアにＩＣタグが取り付けられているがメディア特性情報が記録されていない」と判別した場合（ステップＳＤ２：ＮＯ）、印刷装置制御部４０は、処理手順をステップＳＤ４へ移行する。
ステップＳＤ４において、印刷装置制御部４０は、印刷装置通信部４１を制御して、メディア特性情報応答要求情報を、制御装置５に送信する。
メディア特性情報応答要求情報は、印刷装置３に装着されている印刷メディアの印刷メディア識別情報を含む。メディア特性情報応答要求情報は、当該情報に含まれる印刷メディア識別情報の印刷メディアのメディア特性情報の送信を要求する情報である。なお、印刷装置制御部４０は、所定の手段で、印刷装置３に装着された印刷メディアの印刷メディア識別情報を取得する。例えば、印刷装置制御部４０は、所定のタイミング（例えば、印刷メディアが交換されたタイミングや、ステップＳＤ４の処理を実行するタイミング等。）で、ユーザーに印刷メディア識別情報を入力させ、入力された印刷メディア識別情報を取得する。また、画像処理装置６が、印刷装置３に装着された印刷メディアの印刷メディア識別情報を、設定情報として有している場合は、画像処理装置６に問い合わせる構成でもよい。
【０１００】
図１４のフローチャートＦＥに示すように、制御装置５の制御装置制御部３０は、制御装置通信部３１を制御して、メディア特性情報応答要求情報を受信する（ステップＳＥ１）。
次いで、制御装置制御部３０は、制御装置記憶部３２が記憶するメディアテーブル３２ａを参照する（ステップＳＥ２）。
メディアテーブル３２ａは、メディアサーバー８が記憶するメディアリスト２２ａと同一のデータ構造を有するテーブルであり、印刷メディアごとにレコードを有し、各レコードは、印刷メディア識別情報と、メディア特性情報とを有する。
なお、メディアテーブル３２ａの内容と、メディアリスト２２ａの内容とは、所定の方法で、同期がとられる。同期の方法は、例えば、上述したカラープロファイル管理テーブル３２ｂと、カラープロファイル管理データベース２２ｂとの同期を取る方法と同様である。また、メディアテーブル３２ａには、ローカルエリアネットワークＬＮａと接続する印刷装置３のそれぞれについて、装着可能な印刷メディアに関するレコードが存在すればよく、メディアリスト２２ａに登録された全ての印刷メディアについて、メディアテーブル３２ａにレコードが存在する必要はない。
【０１０１】
図１４のフローチャートＦＥに示すように、ステップＳＥ２でメディアテーブル３２ａを参照した後、制御装置制御部３０は、メディア特性情報応答要求情報に含まれる印刷メディア識別情報と、メディアテーブル３２ａの各レコードが有する印刷メディア識別情報との突合により、対応するレコードを特定する。そして、制御装置制御部３０は、特定したレコードが有するメディア特性情報を取得する（ステップＳＥ３）。
次いで、制御装置制御部３０は、制御装置通信部３１を制御して、ステップＳＥ３で取得したメディア特性情報を、印刷装置３に送信する（ステップＳＥ４）。
【０１０２】
図１４のフローチャートＦＤに示すように、印刷装置３の印刷装置制御部４０は、印刷装置通信部４１を制御して、メディア特性情報を受信する（ステップＳＤ５）。
次いで、印刷装置制御部４０は、受信したメディア特性情報を取得する（ステップＳＤ６）。ステップＳＤ６の処理後、印刷装置制御部４０は、処理手順をステップＳＤ７へ移行する。
【０１０３】
ステップＳＤ７において、印刷装置制御部４０は、印刷装置通信部４１を制御して、応答情報を画像処理装置６に送信する（ステップＳＤ７）。
応答情報は、印刷装置３の機種を識別する識別情報（以下、「機種識別情報」という。）と、ステップＳＤ３又はステップＳＤ６で取得したメディア特性情報とを含む。応答情報は、印刷開始通知情報に対して応答する情報である。
【０１０４】
図１４のフローチャートＦＣに示すように、画像処理装置６の画像処理装置制御部５０は、画像処理装置通信部５１を制御して、応答情報を受信する（ステップＳＣ２）。
次いで、画像処理装置制御部５０は、画像処理装置通信部５１を制御して、カラープロファイル応答要求情報を制御装置５に送信する（ステップＳＣ３）。
カラープロファイル応答要求情報は、ステップＳＣ２で受信した応答情報に含まれる機種識別情報と、メディア特性情報とを含む。カラープロファイル応答要求情報は、カラープロファイルの送信を要求する情報である。
【０１０５】
図１４のフローチャートＦＥに示すように、制御装置５の制御装置制御部３０は、制御装置通信部３１を制御して、カラープロファイル応答要求情報を受信する（ステップＳＥ５）。
次いで、制御装置制御部３０は、カラープロファイル選択処理を実行する（ステップＳＥ６）。
【０１０６】
図１５のフローチャートＦＦは、カラープロファイル選択処理の詳細を示すフローチャートである。
ここで、制御装置５の制御装置記憶部３２は、カラープロファイル管理テーブル３２ｂを記憶する。
カラープロファイル管理テーブル３２ｂは、印刷装置３の機種ごとに、カラープロファイル集合データＫＰ（後述）を記憶する。すなわち、カラープロファイル管理テーブル３２ｂは、印刷装置３の機種ごとに、機種識別情報と対応付けてカラープロファイル集合データＫＰを有する。
以下、カラープロファイル集合データＫＰについて説明する。
【０１０７】
本実施形態では、印刷装置３の機種ごとに、色空間（ＨＳＶ色空間）について、色相、彩度、明度のそれぞれのパラメーターが、複数の区間に分割される。各パラメーターの区間の間隔は、印刷装置３の機種に応じて、印刷装置３が表現可能な色を反映して、適切に設定される。これを踏まえ、印刷装置３について、ＨＳＶ色空間は、色相に係る区間と、彩度に係る区間と、明度に係る区間との組み合わせごとに、立体的な領域をもった「ピース」に区切られる。以下、印刷装置３について、ＨＳＶ色空間におけるピースを「プリンターピース」という。
以上のように、ＨＳＶ色空間が印刷装置３依存で区切られることによってプリンターピース群が構成される。
ここで、カラープロファイルに基づくラスターデータの生成の際は、ＲＧＢ表色系の各色（例えば、レッド（Ｒ）、グリーン（Ｇ）、ブルー（Ｂ）。）の色成分の度合いを所定階調の階調値として保持するドット（以下、「変換前ドット」という。）により構成されるビットマップデータが、印刷装置３が吐出可能なインクの色（例えば、シアン（Ｃ）、マゼンダ（Ｍ）、黄色（Ｙ）、黒色（Ｋ）。）のそれぞれの度合いを所定階調の階調値として保持するドット（以下、「変換後ドット」という。）により構成されるラスターデータへと変換される。
【０１０８】
そして、カラープロファイル集合データＫＰは、プリンターピースごとに、プリンターピースと対応付けてカラープロファイルを有する。カラープロファイル集合データＫＰにおいて、１のプリンターピースに対応するカラープロファイルは、カラープロファイルを用いた変換前ドットから変換後ドットへの変換に際し、当該１のプリンターピースの立体的な領域に対応する色相、彩度、明度の傾向を、変換後ドットの色に反映させるカラープロファイルとされる。従って、１のプリンターピースに対応するカラープロファイルに基づいて、変換前ドットから変換後ドットへの変換が行われる場合、変換に用いられる係数が調整されることによって、当該１のプリンターピースに対応する色相、彩度、明度を反映して、変換後ドットの色相の傾向、彩度の傾向、明度の傾向が調整される。
【０１０９】
図１６は、１つの機種のカラープロファイル集合データＫＰの内容の一例を示す図である。図１６では、当該１つの機種（図１６の例では、機種：「ＫＳ０１」）が有する印刷モードごとに、色相に係る区間、彩度に係る区間、明度に係る区間の組み合わせのそれぞれについて、カラープロファイルを有するカラープロファイル集合データＫＰの一例を示している。なお、図１６では、説明の便宜のため、カラープロファイル集合データＫＰがカラープロファイルの実データを有しているが、実データに代えて、カラープロファイルの実データが格納された記憶領域のアドレスを有する構成でもよい。
図１６に示すように、１つの機種のカラープロファイル集合データＫＰは、色相に係る区間、彩度に係る区間、明度に係る区間の組み合わせの全てについて、組み合わせごとに、対応するカラープロファイルを有する。例えば、色相の区間が「１２個」あり、彩度の区間が「５個」あり、明度の区間が「５個」ある場合は、カラープロファイル集合データＫＰは、３００個（１２×５×５）の色相、彩度、明度の区間の組み合わせごとに、対応するカラープロファイルを有する。
上述したように、カラープロファイル管理テーブル３２ｂは、印刷装置３の機種ごとに、カラープロファイル集合データＫＰを有している。例えば、管理対象の印刷装置３の機種が「３０個」ある場合は、カラープロファイル管理テーブル３２ｂは、３０個の機種ごとに、カラープロファイル集合データＫＰを有する。
【０１１０】
以上のように、本実施形態では、カラープロファイルの記憶に関し、制御装置５は、印刷装置３の機種ごとにカラープロファイル集合データＫＰを記憶する。上述したようにカラープロファイル集合データＫＰは、プリンターピースごとに、カラープロファイルを有する。ここで、カラープロファイルの記憶に関し、制御装置５が、印刷装置３の機種ごとに、その機種の印刷装置３に装着可能な印刷メディアのそれぞれについてカラープロファイルを記憶する構成とすることも可能である。しかしながら、この場合、以下の課題がある。すなわち、印刷装置３の機種、及び、印刷メディアは、それぞれ、数多く存在し、また、今後も増大するものと想定される。このため、上記の場合、カラープロファイルに関し、制御装置５に記憶するべきデータのデータ量が膨大になると共に、カラープロファイルの管理が複雑化するという課題がある。一方、本実施形態によれば、カラープロファイルに関し、記憶すべきデータのデータ量を削減でき、さらに、カラープロファイルの管理が簡易化する。
なお、メディアサーバー８のサーバー記憶部２２は、カラープロファイル管理データベース２２ｂを記憶する。カラープロファイル管理データベース２２ｂは、カラープロファイル管理テーブル３２ｂと同一のデータ構造を有するテーブルである。すなわち、カラープロファイル管理データベース２２ｂは、印刷装置３の機種ごとに、カラープロファイル集合データＫＰを有する。カラープロファイル管理テーブル３２ｂの内容と、カラープロファイル管理データベース２２ｂの内容とは、所定の方法で、同期がとられる。例えば、メディアサーバー８は、所定のカラープロファイル集合データＫＰの内容が変更された場合、変更後のカラープロファイル集合データＫＰ（データそのものでなく、変更前と、変更後との差分データであってもよい。）を制御装置５に送信する。制御装置５は、メディアサーバー８から受信したデータに基づいて、カラープロファイル管理テーブル３２ｂの内容を更新する。また、カラープロファイル管理テーブル３２ｂには、ローカルエリアネットワークＬＮａと接続する印刷装置３のそれぞれの機種について、カラープロファイル集合データＫＰを有していればよく、カラープロファイル管理データベース２２ｂに登録された全ての機種について、カラープロファイル集合データＫＰを有する必要はない。
【０１１１】
図１５のフローチャートＦＦに示すように、制御装置制御部３０は、カラープロファイル管理テーブル３２ｂが有するカラープロファイル集合データＫＰのうち、受信したカラープロファイル応答要求情報に含まれる機種識別情報と対応付けられたカラープロファイル集合データＫＰを特定する（ステップＳＦ１）。
【０１１２】
次いで、制御装置制御部３０は、ＨＳＶ色空間において、受信したカラープロファイル応答要求情報に含まれるメディア特性情報が特定する「メディアピース」に対応する「プリンターピース」を特定する（ステップＳＦ２）。
【０１１３】
図１７は、ステップＳＦ２の処理を説明するため、色相パラメーター、彩度パラメーター、明度パラメーターによって規定されるＨＳＶ色空間（図１０のＨＳＶ色空間に対応する色空間。）を説明に適した態様で模式的に示す図である。
ステップＳＦ２において、制御装置制御部３０は、ＨＳＶ色空間において、メディア特性情報が特定するメディアピースの位置を特定する。図１７では、位置Ｔ１が、メディアピースの位置である。
次いで、制御装置制御部３０は、メディアピースの位置に対して、原点Ｘを対称点として点対称の位置に存在するプリンターピースを特定する。上述したように、ＨＳＶ色空間において、印刷装置３の機種ごとに、色相パラメーター、彩度パラメーター、明度パラメーターの区間の間隔は異なる。制御装置制御部３０は、カラープロファイル応答要求情報に含まれる機種識別情報の機種について事前に設定された色相パラメーター、彩度パラメーター、明度パラメーターの区間を反映して、当該機種に対応するプリンターピースを特定する。
【０１１４】
上述したように、印刷メディアについて、ＨＳＶ色空間における３つのパラメーターの各区間の間隔は、印刷装置３の機種のうち、ＨＳＶ色空間における３つのパラメーターの各区間の間隔が最も「細かい」機種における各区間の間隔と同等か細かいものとされる。
図１８は、メディアピースの集合体を表すメディアピース群と、プリンターピースの集合体を表すプリンターピース群とを、説明に適した態様で模式的に示す図である。
図１８では、メディアピース群を、色相、彩度、明度のそれぞれを軸とした３次元空間において、各パラメーターの区間の組み合わせごとに存在する直方体のピースの集合として表す。プリンターピースについても同様である。
図１８において、符号ＰＧは、印刷装置３の機種のうち、ＨＳＶ色空間における３つのパラメーターの各区間の間隔が最も細かい機種に係るプリンターピース群を示す。符号ＭＧａは、３つのパラメーターの区間の間隔が、プリンターピース群ＰＧにおける３つのパラメーターの各区間と同等のメディアピース群を示す。符号ＭＧｂは、３つのパラメーターの区間の間隔が、プリンターピース群ＰＧにおける３つのパラメーターの各区間よりも細かいメディアピース群を示す。
以上の構成のため、いずれの機種についても、メディアピースの位置に対して、原点Ｘを対称点として点対称の位置に存在するプリンターピースが存在し、メディアピースの位置に対して原点Ｘを対象として点対称の位置に存在するプリンターピースが一意に特定される。図１７では、位置Ｔ２が、特定されたプリンターピースの位置である。
【０１１５】
以下、メディア特性情報が特定するメディアピースを「特定メディアピース」といい、特定メディアピースの位置に対して、原点Ｘを対称点として点対称の位置に存在するプリンターピースを「特定プリンターピース」という。
特定メディアピースと、特定プリンターピースとは、以下の関係にある。
すなわち、特定メディアピースは、印刷メディアの色特性に対応するメディアピースである。そして、特定プリンターピースに対応する色相は、特定メディアピースに対応する色相と補色の関係にある。また、特定プリンターピースに対応する彩度と、特定メディアピースに対応する彩度とは、合算して「１００％」（正確には、各ピースは範囲を持っているため、「１００％」に対応する値。）となる補完関係にある。また、特定プリンターピースに対応する明度と、特定メディアピースに対応する明度とは、合算して「１００％」（正確には、各ピースは範囲を持っているため、「１００％」に対応する値。）となる補完関係にある。そして、発明者は、事前のテスト、シミュレーションにより、１の特定メディアピースに対応する印刷メディアに対して印刷を行う場合、ラスターデータの生成に際し、当該１の特定メディアピースに対応する特定プリンターピースの色相、彩度、明度の傾向を反映させてラスターデータを生成した場合に、印刷品質が特に向上することを見出した。
【０１１６】
図１９は、図１２で例示した印刷メディア識別情報：「ａａａ」の印刷メディア、印刷メディア識別情報：「ｂｂｂ」の印刷メディア、及び、印刷メディア識別情報：「ｃｃｃ」の印刷メディアのそれぞれについて、１の機種の印刷装置３において対応するプリンターピース（各パラメーターの区間の組み合わせ）を表にして示す図である。当該１の機種の印刷装置３では、ＨＳＶ色空間について、色相のパラメーターが、「３４５°〜１５°」、「１５°〜４５°」、「４５°〜７５°」、「７５°〜１０５°」、「１０５°〜１３５°」、「１３５°〜１６５°」、「１６５°〜１９５°」、「１９５°〜２２５°」、「２２５°〜２５５°」、「２５５°〜２８５°」、「２８５°〜３１５°」、「３１５°〜３４５°」に分割される。また、彩度のパラメーターが、「０％〜２０％」、「２０％〜４０％」、「４０％〜６０％」、「６０％〜８０％」、「８０％〜１００％」に分割される。また、明度のパラメーターが、「０％〜２０％」、「２０％〜４０％」、「４０％〜６０％」、「６０％〜８０％」、「８０％〜１００％」に分割される。
【０１１７】
図１９の例では、印刷メディア識別情報が「ａａａ」の印刷メディアについては、メディア特性情報（「レッド／薄い／やや暗い」）に対応するプリンターピースとして、以下のプリンターピースが特定される。すなわち、色相の区間「１６５°〜１９５°」、彩度の区間「８０％〜１００％」、明度の区間「６０％〜８０％」の組み合わせに対応するプリンターピースである。この場合、カラープロファイル集合データＫＰにおいて、特定されたプリンターピースに対応付けられたカラープロファイルが選択される。
また、図１９の例では、印刷メディア識別情報が「ｂｂｂ」の印刷メディアについては、メディア特性情報（「オレンジ／薄い／明るい」）に対応するプリンターピースとして、以下のプリンターピースが特定される。すなわち、色相の区間「１９５°〜２２５°」、彩度の区間「８０％〜１００％」、明度の区間「０％〜２０％」の組み合わせに対応するプリンターピースである。この場合、カラープロファイル集合データＫＰにおいて、特定されたプリンターピースに対応付けられたカラープロファイルが選択される。
また、図１９の例では、印刷メディア識別情報が「ｃｃｃ」の印刷メディアについては、メディア特性情報（「オレンジ／薄い／暗い」）に対応するプリンターピースとして、以下のプリンターピースが特定される。すなわち、色相の区間「２２５°〜２５５°」、彩度の区間「０％〜２０％」、明度の区間「８０％〜１００％」の組み合わせに対応するプリンターピースである。この場合、カラープロファイル集合データＫＰにおいて、特定されたプリンターピースに対応付けられたカラープロファイルが選択される。
【０１１８】
なお、特定プリンターピースは、ＨＳＶ色空間において、原点Ｘ（所定の点）から特定メディアピースに向かうベクトルに対して、そのベクトルを打ち消すベクトルが示す位置に存在するプリンターピースである。制御装置制御部３０は、原点Ｘから特定プリンターピースに向かうベクトルを算出し、算出したベクトルを打ち消すベクトルを算出し、算出したベクトルが示す位置に存在するプリンターピースを、特定プリンターピースとして特定してもよい。
【０１１９】
なお、上記の説明では、特定プリンターピースは、特定メディアピースに対して、原点Ｘを対称点として点対称の位置に存在するプリンターピースであった。この点に関し、対称点を、ＨＳＶ色空間において、原点Ｘとは異なる点としてもよい。
すなわち、印刷メディアの印刷面は、表面形状や、インクの浸透具合等の性質が種類によって異なっている。そして、印刷メディアの印刷面の色特性が近似する場合であっても、印刷面の性質の相違によって、印刷品質を向上させるという観点から使用することが適切なカラープロファイルは、異なる。これを踏まえ、１の種類の印刷メディアの特定プリンターピースを特定する際に、対称点について、当該１の種類の印刷メディアに固有の性質を反映して原点Ｘを補正して決定し、決定した対称点を、特定プリンターピースの特定に使用する構成でもよい。例えば、印刷メディアの印刷面の性質が、インクが吐出されてドットが形成された場合に、他の印刷メディアと比較して、形成されたドットの彩度を低下させるような性質であるとする。この場合に、ＨＳＶ色空間において、原点Ｘを対称点とした場合と比較して、特定プリンターピースの位置を、彩度がより高い位置に位置させるような点を、対称点としてもよい。
図２０は、原点Ｘとは異なる点Ｚを対称点とした場合の、特定メディアピースの位置と、特定プリンターピースの位置とを示す図である。図２０において、位置Ｔ３は、特定メディアピースの位置を示し、位置Ｔ４は、特定プリンターピースの位置を示している。
【０１２０】
ステップＳＦ２で、メディア特性情報が特定する「メディアピース」に対応する「プリンターピース」を特定した後、制御装置制御部３０は、カラープロファイル集合データＫＰにおいて、特定したプリンターピースと対応付けられたカラープロファイルを選択し（ステップＳＦ３）、カラープロファイル選択処理を終了する。ステップＳＦ３で選択されたカラープロファイルは、カラープロファイルを用いた変換前ドットから変換後ドットへの変換に際し、ステップＳＦ２で特定したプリンターピースの立体的な領域に対応する色相、彩度、明度の傾向を、変換後ドットの色に反映させるカラープロファイルである。従って、印刷装置３による印刷に際し、ステップＳＦ３で選択したカラープロファイルを用いてラスターデータを生成することにより、印刷品質を向上することができる。
【０１２１】
図１４のフローチャートＦＥに示すように、ステップＳＥ３カラープロファイル選択処理を実行した後、制御装置制御部３０は、制御装置通信部３１を制御して、選択したカラープロファイルを画像処理装置６に送信する（ステップＳＥ７）。
【０１２２】
図１４のフローチャートＦＣに示すように、画像処理装置６の画像処理装置制御部５０は、画像処理装置通信部５１を制御して、カラープロファイルを受信する（ステップＳＣ４）。
次いで、画像処理装置制御部５０は、少なくともＲＩＰソフトウェアの機能により、ステップＳＣ４で受信したカラープロファイルを用いて、ラスターデータを生成する（ステップＳＣ５）。なお、ラスターデータを生成するために必要なデータは、事前に、ＲＩＰソフトウェアに入力されているものとする。ラスターデータを生成するために必要なデータは、例えば、文書作成ソフトウェアにより生成されたテキストを含む画像の画像データであり、また例えば、描画ソフトウェアにより生成されたグラフィック画像の画像データであり、また例えば、デジタルカメラにより撮影された撮影画像の画像データである。
【０１２３】
ラスターデータを生成した後、画像処理装置制御部５０は、画像処理装置通信部５１を制御して、生成したラスターデータを印刷装置３に送信する（ステップＳＣ６）。
【０１２４】
図１４のフローチャートＦＤに示すように、印刷装置３の印刷装置制御部４０は、ラスターデータを受信する（ステップＳＤ８）。
次いで、印刷装置制御部４０は、ステップＳＤ８で受信したラスターデータに基づいて印刷部４４を制御して、印刷部４４に、印刷メディアに画像を印刷させる（ステップＳＤ９）。
【０１２５】
以上説明したように、本実施形態では、情報処理システム１は、ＨＳＶ色空間を定義する色相、彩度、及び、明度の３つのパラメーターについて、各パラメーターがとり得る範囲を複数の区間に分割し、各区間に区間名称を付与し、３つのパラメーターの区間名称の組み合わせをもってメディア特性情報とし、当該メディア特性情報によりＨＳＶ色空間を印刷メディア依存で区切ったメディアピース群の任意のピースを特定可能とした上で、対象となる印刷メディアのメディア特性情報に基づいて、当該印刷メディアに印刷を行う。
この構成によれば、メディア特性情報が３つのパラメーターの区間名称の組み合わせを含む情報であるため、メディア特性情報に基づいて、印刷メディアの色特性を容易に認識できる。また、メディア特性情報は、ＨＳＶ色空間を区切ったメディアピースを特定する情報であり、メディア特性情報により特定されるメディアピースは、印刷メディアの色特性に対応するピースである。このため、印刷装置３の印刷に際し、メディア特性情報を用いることにより、印刷装置３が印刷メディアの色特性に対応した印刷を行えるようにすることができる。
【０１２６】
また、本実施形態では、色相のパラメーターの区間名称は、該当する区間の色相の傾向を形容する表現を含み、彩度のパラメーターの区間名称は、彩度のパラメーターがとり得る範囲において、該当する区間の彩度の度合いを相対的に形容する表現を含み、明度のパラメーターの区間名称は、明度のパラメーターがとり得る範囲において、該当する区間の明度の度合いを相対的に形容する表現を含む。
この構成によれば、メディア特性情報により、印刷メディアの色特性を直感的、感覚的に認識できる。
【０１２７】
また、本実施形態では、印刷メディアは、メディア特性情報を有する。より具体的には、メディア特性情報は、印刷メディアの構成要素のうち、印刷装置により消費されない構成要素に取り付けられたＩＣタグに記録される。
この構成によれば、印刷装置３は、印刷装置３に実際に装着された印刷メディアから、その印刷メディアのメディア特性情報を的確に取得することができる。
【０１２８】
また、本発明は、グローバルネットワークＧＮ（公衆回線）に接続されているメディアサーバー８（情報処理装置）が、メディア特性情報を有する。
この構成によれば、公衆回線を介してメディアサーバー８にアクセスすることにより、メディアサーバー８が有するメディア特性情報を利用可能になる。
【０１２９】
また、本実施形態に係る情報処理システム１は、ＨＳＶ色空間を印刷装置３依存で区切ったプリンターピース群のそれぞれと対応付けて用意されたカラープロファイルを、印刷装置の機種ごとに有し、所望の印刷装置３で所望の印刷メディアに印刷する場合、当該印刷装置３の機種に依存してＨＳＶ色空間を区切ったプリンターピース群から、当該印刷メディアのメディア特性情報に基づいて、所定の方法で該当するプリンターピースを特定し、特定したプリンターピースに対応付けられたカラープロファイルを選択して提供する。
この構成によれば、印刷メディアの色特性に対応する適切なカラープロファイルを供給できる。
【０１３０】
また、本実施形態に係る情報処理システム１は、ＨＳＶ色空間において、メディア特性情報で特定されるメディアピースの位置を特定し、そのメディアピースの位置に対して、所定の点を対称点として点対称の位置に存在するプリンターピースを特定する。
この構成によれば、印刷メディアの色特性に対応する適切なカラープロファイルを供給できる。
【０１３１】
また、本実施形態では、プリンターピースの特定に際し、対称点とする所定の点は、原点Ｘである。
この構成によれば、印刷メディアの色特性に対応する適切なカラープロファイルを供給できる。
【０１３２】
また、本実施形態に係る情報処理システム１は、ＨＳＶ色空間において、メディア特性情報で特定されるメディアピースの位置を特定し、ＨＳＶ色空間における所定の点から特定したメディアピースに向かうベクトルに対して、そのベクトルを打ち消すベクトルが示す位置に存在するプリンターピースを特定する。
この構成によれば、印刷メディアの色特性に対応する適切なカラープロファイルを供給できる。
【０１３３】
また、本実施形態では、プリンターピースの特定に際し、対称点とする所定の点は、原点Ｘである。
この構成によれば、印刷メディアの色特性に対応する適切なカラープロファイルを供給できる。
【０１３４】
また、本実施形態では、ＨＳＶ色空間の任意の位置について、印刷メディア依存で区切るメディアピース群の個々の大きさは、印刷装置依存で区切るプリンターピース群の個々の大きさと比べて、同等か細かい。
この構成によれば、印刷装置３の機種が、いずれの機種であっても、メディア特性情報が特定するメディアピースに対応して、プリンターピースが存在する状態とすることができる。
【０１３５】
また、本実施形態では、彩度のパラメーターについて、彩度の度合いが低い区間の長さを、彩度の度合いが高い区間の長さと比較して、小さくした。
この構成によれば、彩度の特徴を踏まえて、彩度のパラメーターの区間の長さを適切な長さとすることができる。
【０１３６】
また、本実施形態では、明度のパラメーターについて、明度の度合いが低い区間の長さを、明度の度合いが高い区間の長さと比較して、小さくした。
この構成によれば、明度の特徴を踏まえて、明度のパラメーターの区間の長さを適切な長さとすることができる。
【０１３７】
また、本実施形態では、色相のパラメーターについて、色相パラメーター：「０°」付近の色相（第１の色相）に対応する区間の長さを、色相パラメーター：「１８０°」付近の色相（第２の色相）に対応する区間の長さと比較して、小さくした。
この構成によれば、色相の特徴を踏まえて、色相のパラメーターの区間の長さを適切な長さとすることができる。
【０１３８】
＜第２実施形態＞
次に、第２実施形態について説明する。
なお、第２実施形態の説明において、第１実施形態の構成要素と同様の構成要素については、同一の符号を付し、その説明を省略する。
第２実施形態では、制御装置５の制御装置制御部３０が、カラープロファイル選択処理において実行する処理が、第１実施形態と異なる。
すなわち、第２実施形態では、制御装置５の制御装置記憶部３２は、カラープロファイル管理テーブル３２ｂにおいて、カラープロファイル集合データＫＰに代えて、機種ごとに、機種識別情報と対応付けて、基準カラープロファイル（基準となるカラープロファイル）を記憶する。基準カラープロファイルは、一例として、印刷装置３のＨＳＶ色空間において、原点Ｘの位置のプリンターピースに対応するカラープロファイルである。
【０１３９】
第２実施形態では、制御装置制御部３０は、カラープロファイル選択処理において、カラープロファイル応答要求情報に含まれる機種識別情報と、メディア特性情報とに基づいて、基準カラープロファイルを補正することによって、画像処理装置６に提供するカラープロファイルを生成する。
詳述すると、制御装置制御部３０の機能を実現する印刷管理プログラム３２ｃは、機種識別情報、及び、メディア特性情報を入力とし、入力されたこれら情報に基づいて、対応する機種の基準カラープロファイルを補正し、補正後のカラープロファイルを出力する機能を有するアルゴリズムが実装されている。当該アルゴリズムは、メディア特性情報が特定するプリンターピースの位置に対して、色空間の原点Ｘを対称点として点対称の位置に存在するプリンタピース（ピース）に対応するカラープロファイルとなるように、基準カラープロファイルを補正する。
なお、第１実施形態で説明したように、対称点とする点は原点Ｘに限らない。印刷面の性質に応じて対称点とする点を調整する構成でもよい。
また、第１実施形態で説明したように、特定プリンターピース（メディア特性情報により特定されるメディアピースに対応するプリンターピース）は、ＨＳＶ色空間において、原点Ｘ（所定の点）から特定メディアピースに向かうベクトルに対して、そのベクトルを打ち消すベクトルが示す位置に存在するプリンターピースである。これを踏まえ、第２実施形態において、制御装置制御部３０は、メディア特性情報で特定されるメディアピースの位置を特定し、ＨＳＶ色空間における所定の点から特定したメディアピースに向かうベクトルに対して、それを打ち消す方向のベクトルになるように、当該所定の点に相当する位置の基準となるカラープロファイルを補正してもよい。
【０１４０】
第２実施形態の構成であっても、第１実施形態と同様に、制御装置５は、印刷メディアの色特性に対応した適切なカラープロファイルを画像処理装置６に提供できる。
特に、第２実施形態によれば、第１実施形態と比較して、カラープロファイルに関し、記憶すべきデータのデータ量をより大きく削減できると共に、カラープロファイルの管理がより簡易化する。
【０１４１】
＜第３実施形態＞
次に、第３実施形態について説明する。
第３実施形態では、色相、彩度、明度の３つのパラメーターの各区間に付与される区間名称が、第１実施形態と異なる。
第３実施形態では、色相区間名称として、色相（Hue）の頭文字である文字：「Ｈ」と、色相数値情報との組み合わせからなる情報が付与される。１の色相区間に付与される色相数値情報は、当該１の色相区間の範囲において、範囲の中央の色相パラメーターの値（単位である「°」を除く。）とされる。例えば、第１実施形態における第１色相区間には、色相区間名称として、色相区間名称：「Ｈ０」が付与され、第２色相区間には、色相区間名称として、色相区間名称：「Ｈ３０」が付与される。以上のように、第３実施形態では、色相のパラメーターの区間名称は、区間名称に対応する区間の色相の傾向を表す数字を含む。
【０１４２】
また、第３実施形態では、彩度区間名称として、彩度（Saturation）の頭文字である文字：「Ｓ」と、彩度数値情報との組み合わせからなる情報が付与される。１の彩度区間に付与される彩度数値情報は、当該１の彩度区間の範囲において、範囲の中央の値（単位である「％」を除く。）とされる。例えば、第１実施形態における第１彩度区間には、彩度区間名称として、彩度区間名称：「Ｓ１０」が付与され、第２彩度区間には、彩度区間名称として、彩度区間名称：「Ｓ３０」が付与される。以上のように、第３実施形態では、彩度のパラメーターの区間名称は、彩度パラメーターがとり得る範囲において、対応する区間の彩度の度合いを表す数字を含む。
【０１４３】
また、第３実施形態では、明度区間名称として、明度（Value）の頭文字である文字：「Ｖ」と、明度数値情報との組み合わせからなる情報が付与される。１の明度区間に付与される明度数値情報は、当該１の明度区間の範囲において、範囲の中央の値（単位である「％」を除く。）とされる。例えば、第１実施形態における第１明度区間には、明度区間名称として、彩度区間名称：「Ｖ１０」が付与され、第２明度区間には、明度区間名称として、明度区間名称：「Ｖ３０」が付与される。以上のように、第３実施形態では、明度のパラメーターの区間名称は、明度パラメーターがとり得る範囲において、対応する区間の明度の度合いを表す数字を含む。
【０１４４】
図２１は、第３実施形態に係るメディア特性情報の一例を示す図である。
図２１と図９との比較で明らかなとおり、第３実施形態に係るメディア特性情報の構造と、第１実施形態に係るメディア特性情報の構造とは同一である。すなわち、第３実施形態に係るメディア特性情報は、３つのパラメーターに対応する区間名称が、区切文字：「／」で区切られて、色相、彩度、明度の順番で配列された情報である。
【０１４５】
図２２Ａは、本実施形態に係る色相パラメーターテーブルＰＴ１の一例を示す図である。図２２Ａに示すように、色相パラメーターテーブルＰＴ１は、色相区間と対応付けて、数字を含んで表された色相区間名称を有する。
図２２Ｂは、本実施形態に係る彩度パラメーターテーブルＰＴ２の一例を示す図である。図２２Ｂに示すように、彩度パラメーターテーブルＰＴ２は、彩度区間と対応付けて、数字を含んで表された彩度区間名称を有する。
図２２Ｃは、本実施形態に係る明度パラメーターテーブルＰＴ３の一例を示す図である。図２２Ｃに示すように、明度パラメーターテーブルＰＴ３は、明度区間と対応付けて、数字を含んで表された明度区間名称を有する。
【０１４６】
図２３は、本実施形態に係るメディアリスト２２ａの内容の一例を示す図である。
図２３に示すように、メディアリスト２２ａは、メディア提供者識別情報と、印刷メディア識別情報との組み合わせと対応付けて、数字を含んで表された区間名称の組み合わせよりなるメディア特性情報を有する。
【０１４７】
メディア特性情報に関し、第３実施形態の構成であっても、第１実施形態と同様の効果を奏する。特に、第３実施形態の考え方を規格化すれば、区間名称が各国の言語に依存しなくなる。このため、世界共通で、メディア特性情報から印刷メディアの色特性を容易に認識できることができるようになり、業界を挙げてこのような規格を標準化する際に有利と言える。
【０１４８】
なお、色相区間名称、彩度区間名称、及び、明度区間名称は、上記で例示した名称に限られない。
例えば、色相区間名称は、「色相１」、「色相２」・・・といった名称でもよく、「Ｈ１」、「Ｈ２」・・・といった名称でもよい。また例えば、彩度区間名称は、「彩度１」、「彩度２」・・・といった名称でもよく、また、「Ｓ１」、「Ｓ２」・・・といった名称でもよい。また例えば、明度区間名称は、「明度１」、「明度２」・・・といった名称でもよく、「Ｖ１」、「Ｖ２」・・・といった名称でもよい。
【０１４９】
＜第４実施形態＞
次に、第４実施形態について説明する。
なお、第４実施形態の説明において、第１実施形態の構成要素と同様の構成要素については、同一の符号を付し、その説明を省略する。
図２４は、第４実施形態において、印刷装置３による印刷が行われる場合の画像処理装置６、印刷装置３、及び、メディアサーバー８の動作を示すフローチャートである。図２４において、フローチャートＦＣは画像処理装置６の動作を示し、フローチャートＦＤは印刷装置３の動作を示し、フローチャートＦＧはメディアサーバー８の動作を示す。フローチャートＦＣ、及び、フローチャートＦＤは、それぞれ、図１４のフローチャートを援用したものである。
【０１５０】
第１実施形態では、印刷装置３は、メディア特性情報応答要求情報を、制御装置５に送信した。一方で、第４実施形態では、印刷装置３は、メディア特性情報応答要求情報をメディアサーバー８に送信し、メディアサーバー８が当該情報に応答して、メディア特性情報を印刷装置３に送信する。また、第１実施形態では、画像処理装置６は、カラープロファイル応答要求情報を、制御装置５に送信した。一方で、第４実施形態では、画像処理装置６は、カラープロファイル応答要求情報をメディアサーバー８に送信し、メディアサーバー８が当該情報に応答して、カラープロファイルを画像処理装置６に送信する。
以下、図２４を用いて詳述する。
【０１５１】
図２４のフローチャートＦＤに示すように、ステップＳＤ４において、印刷装置３の印刷装置制御部４０は、メディア特性情報応答要求情報を、メディアサーバー８に送信する。メディアサーバー８のアドレス等、メディアサーバー８にメディア特性情報応答要求情報を送信するために必要な情報は、印刷装置３に事前に登録される。
ここで、メディア提供者（例えば、印刷メディアを製造し、販売するベンダー。）が、メディアサーバー８を提供する場合がある。この場合、メディアサーバー８のメディアリスト２２ａには、メディアサーバー８の提供元のメディア提供者が提供する印刷メディアについて、メディア特性情報が登録される。また、この場合、ステップＳＤ４において、印刷装置制御部４０は、印刷装置３に装着された印刷メディアの提供元のメディア提供者が提供するメディアサーバー８にアクセスする。
【０１５２】
図２４のフローチャートＦＧに示すように、メディアサーバー８のサーバー制御部２０は、サーバー通信部２１を制御して、メディア特性情報応答要求情報を受信する（ステップＳＧ１）。
次いで、サーバー制御部２０は、サーバー記憶部２２が記憶するメディアリスト２２ａを参照する（ステップＳＧ２）。第１実施形態で説明したように、メディアリスト２２ａは、印刷メディアごとにレコードを有し、各レコードは、印刷メディア識別情報と、メディア特性情報とを有する。
次いで、サーバー制御部２０は、第１実施形態のステップＳＥ３で説明した処理を行って、メディア特性情報を取得する（ステップＳＧ３）。
次いで、サーバー制御部２０は、ステップＳＧ３で取得したメディア特性情報を、印刷装置３に送信する（ステップＳＧ４）。
以上のように、第４実施形態では、メディアサーバー８が、印刷装置３からの要求に応じて、メディア特性情報を提供する。
【０１５３】
図２４のフローチャートＦＣに示すように、ステップＳＣ３において、画像処理装置６の画像処理装置制御部５０は、カラープロファイル応答要求情報を、メディアサーバー８に送信する。メディアサーバー８のアドレス等、メディアサーバー８にカラープロファイル応答要求情報を送信するために必要な情報は、画像処理装置６に事前に登録される。
ここで、印刷装置３を提供する主体（例えば、印刷装置３を製造し、販売する、いわゆるプリンターメーカー。）が、メディアサーバー８を提供する場合がある。以下、印刷装置３を提供する主体を、「プリンター提供者」と表現する。この場合、メディアサーバー８のカラープロファイル管理データベース２２ｂには、メディアサーバー８の提供元のプリンター提供者が提供する印刷装置３の機種ごとに、カラープロファイルＫＰを有する。また、この場合、ステップＳＣ３において、画像処理装置制御部５０は、印刷を実行させる印刷装置３の提供元のプリンター提供者が提供するメディアサーバー８にアクセスする。
【０１５４】
図２４のフローチャートＦＧに示すように、メディアサーバー８のサーバー制御部２０は、サーバー通信部２１を制御して、カラープロファイル応答要求情報を受信する（ステップＳＧ５）。
次いで、サーバー制御部２０は、カラープロファイル選択処理を実行する（ステップＳＧ６）。ステップＳＧ６のカラープロファイル選択処理において、サーバー制御部２０は、カラープロファイル管理データベース２２ｂを用いて、図１５のフローチャートＦＦで示す処理と同様の処理を行って、カラープロファイルを選択する。第１実施形態で説明したように、カラープロファイル管理データベース２２ｂは、印刷装置３の機種ごとに、カラープロファイル集合データＫＰを有する。
カラープロファイル選択処理の実行後、サーバー制御部２０は、当該処理で選択したカラープロファイルを、画像処理装置６に送信する（ステップＳＧ７）。
以上のように、第４実施形態では、メディアサーバー８が、画像処理装置６からの要求に応じて、カラープロファイルを提供する。
なお、第４実施形態において、サーバー制御部２０は、図１５のフローチャートＦＦで説明した処理に代えて、第２実施形態で説明した処理を実行してもよい。
【０１５５】
なお、上述した実施の形態は、あくまでも本発明の一態様を示すものであり、本発明の範囲内で任意に変形および応用が可能である。
例えば、上述した４つの実施形態では、制御装置５、又は、メディアサーバー８が、カラープロファイル選択処理を実行する機能（カラープロファイルを選択する機能）（基準となるカラープロファイルを補正する機能）を有していた。この場合、制御装置５、又は、メディアサーバー８が、「情報処理装置」として機能する。この点に関し、画像処理装置６、又は、印刷装置３が、カラープロファイル選択処理を実行する機能を有する構成でもよい。この場合、画像処理装置６、又は、印刷装置３が「情報処理装置」として機能する。また、カラープロファイル管理テーブル３２ｂに相当するデータを記憶する主体は、制御装置５、及び、メディアサーバー８に限らず、画像処理装置６や、印刷装置３であってもよい。
また例えば、印刷装置３がＬＦＰである場合を例として実施形態を説明したが、印刷装置３は、ＬＦＰに限らない。また、印刷装置３がインクジェットプリンターである場合を例として実施形態を説明したが、印刷装置３の印刷方式はインクジェット方式に限らない。すなわち、印刷装置３は、印刷メディアに印刷する機能を有する装置であればよい。
また、図を用いて説明した機能ブロックは、本願発明を理解容易にするために、各装置の機能構成を主な処理内容に応じて分類して示した概略図である。各装置の構成は、処理内容に応じて、さらに多くの構成要素に分類することもできる。また、１つの構成要素がさらに多くの処理を実行するように分類することもできる。また、各構成要素の処理は、１つのハードウェアで実行されてもよいし、複数のハードウェアで実行されてもよい。また、各構成要素の処理は、１つのプログラムで実現されてもよいし、複数のプログラムで実現されてもよい。
また、図で示したフローチャートの処理単位は、各装置の処理を理解容易にするために、主な処理内容に応じて分割したものである。処理単位の分割の仕方や名称によって、本願発明が制限されることはない。各装置の処理は、処理内容に応じて、さらに多くの処理単位に分割することもできる。また、１つの処理単位がさらに多くの処理を含むように分割することもできる。また、同様の処理が行えれば、上記のフローチャートの処理順序も、図示した例に限られるものではない。
【符号の説明】
【０１５６】
１…情報処理システム、２…印刷システム、３…印刷装置（情報処理装置）、４ａ、４ｂ…通信装置、５…制御装置（情報処理装置）、６…画像処理装置（情報処理装置）、８…メディアサーバー（情報処理装置）、１０…メディア提供システム、１１…端末、ＧＮ…グローバルネットワーク（公衆回線）。
【図１】
2018167530.tif 000003
【図２】
2018167530.tif 000004
【図３】
2018167530.tif 000005
【図４】
2018167530.tif 000006
【図５】
2018167530.tif 000007
【図６Ａ】
2018167530.tif 000008
【図６Ｂ】
2018167530.tif 000009
【図６Ｃ】
2018167530.tif 000010
【図７】
2018167530.tif 000011
【図８】
2018167530.tif 000012
【図９】
2018167530.tif 000013
【図１０】
2018167530.tif 000014
【図１１】
2018167530.tif 000015
【図１２】
2018167530.tif 000016
【図１３】
2018167530.tif 000017
【図１４】
2018167530.tif 000018
【図１５】
2018167530.tif 000019
【図１６】
2018167530.tif 000020
【図１７】
2018167530.tif 000021
【図１８】
2018167530.tif 000022
【図１９】
2018167530.tif 000023
【図２０】
2018167530.tif 000024
【図２１】
2018167530.tif 000025
【図２２Ａ】
2018167530.tif 000026
【図２２Ｂ】
2018167530.tif 000027
【図２２Ｃ】
2018167530.tif 000028
【図２３】
2018167530.tif 000029
【図２４】
2018167530.tif 000030